(57)【要約】  プレキャストコンクリートと現場打ちコンクリートの組み合わせで形成された基礎構造物を利用した橋梁システムが提供される。組み合わせ型プレキャストコンクリート・現場打ちコンクリート製基礎構造物の建造方法は、間にチャネルを構成する細長い直立壁部材及びチャネル内に配置された多数の直立支持体を有するプレキャストコンクリート製基礎ユニットを建造現場で受け取るステップと、プレキャストコンクリート製基礎ユニットを所望の使用場所に配置するステップと、プレキャストコンクリート製基礎ユニットが所望の使用場所に位置したままの状態でコンクリートをチャネル中に送り込むステップと、コンクリートが現場硬化することができ、その結果、細長い直立壁部材が現場硬化コンクリートと直立壁部材の両方内に埋め込まれた補強材によって現場硬化コンクリートに連結されるようにするステップとを含む。橋梁ユニットは、橋梁ユニットの底部を現場打ちコンクリート中に埋め込む流し込みステップ前に配置されるのが良い。
2014520981.tif 000002
【特許請求の範囲】
【請求項１】
橋梁システムであって、
第１の組み合わせ型プレキャストコンクリート・現場打ちコンクリート製の基礎構造物を含み、前記第１の組み合わせ型プレキャストコンクリート・現場打ちコンクリート製基礎構造物は、
内側の細長い直立壁部材、前記内側の細長い直立壁部材から間隔を置いて配置されていて、前記内側の細長い直立壁部材との間にチャネルを構成する外側の細長い直立壁部材及び前記チャネル内に配置された多数の直立支持体を有する第１のプレキャストコンクリート製基礎ユニットと、
前記第１のプレキャストコンクリート製基礎ユニットの前記チャネル内の現場打ちコンクリートとを含み、前記現場打ちコンクリートは、前記現場打ちコンクリートと前記内側の細長い直立壁部材の両方内に埋め込まれた補強材及び前記現場打ちコンクリートと前記外側の細長い直立壁部材の両方内に埋め込まれた補強材によって前記内側及び前記外側の細長い直立壁部材の各々に結合され、
前記第１の組み合わせ型プレキャストコンクリート・現場打ちコンクリート製基礎構造物から間隔を置いて配置されていて、前記第１の組み合わせ型プレキャストコンクリート・現場打ちコンクリート製基礎構造物に実質的に平行に延びる第２の組み合わせ型プレキャストコンクリート・現場打ちコンクリート製基礎構造物を含み、前記第２の組み合わせ型プレキャストコンクリート・現場打ちコンクリート製基礎構造物は、
内側の細長い直立壁部材、前記内側の細長い直立壁部材から間隔を置いて設けられていて、前記内側の細長い直立壁部材との間にチャネルを構成する外側の細長い直立壁部材及び前記チャネル内に配置された多数の直立支持体を有する第２のプレキャストコンクリート製基礎ユニットと、
前記第２のプレキャストコンクリート製基礎ユニットの前記チャネル内の現場打ちコンクリートとを含み、前記現場打ちコンクリートは、前記現場打ちコンクリートと前記第２のプレキャストコンクリート製基礎ユニットの前記内側の細長い直立壁部材の両方内に埋め込まれた補強材及び前記現場打ちコンクリートと前記第２のプレキャストコンクリート製基礎ユニットの前記外側の細長い直立壁部材の両方内に埋め込まれた補強材によって前記第２のプレキャストコンクリート製基礎ユニットの前記内側及び前記外側の細長い直立壁部材の各々に結合され、
多数の橋梁ユニットを含み、前記多数の橋梁ユニットの各々は、第１の底部分及び前記第１の底部分から間隔を置いて設けられた第２の底部分を有し、前記第１の底部分は、前記第１の組み合わせ型プレキャストコンクリート・現場打ちコンクリート製基礎構造物によって支持されると共に前記第１の組み合わせ型プレキャストコンクリート・現場打ちコンクリート製基礎構造物の前記現場打ちコンクリート内に少なくとも部分的に埋め込まれており、前記第２の底部分は、前記第２の組み合わせ型プレキャストコンクリート・現場打ちコンクリート製基礎構造物によって支持されると共に前記第２の組み合わせ型プレキャストコンクリート・現場打ちコンクリート製基礎構造物の前記現場打ちコンクリート内に少なくとも部分的に埋め込まれている、橋梁システム。
【請求項２】
前記第１のプレキャストコンクリート製基礎ユニットの前記多数の支持体は、前記第２のプレキャストコンクリート製基礎ユニットの前記多数の支持体と実質的に整列している、請求項１記載の橋梁システム。
【請求項３】
前記第１のプレキャストコンクリート製基礎ユニットの前記多数の支持体の各々は、前記第１のプレキャストコンクリート製基礎ユニットの前記チャネル内に多数の互いに間隔を置いたセルを構成するよう前記第１のプレキャストコンクリート製基礎ユニットの前記内側の細長い直立壁部材と前記外側の細長い直立壁部材との間で側方に延び、前記第１の組み合わせ型プレキャストコンクリート・現場打ちコンクリート製基礎構造物の前記現場打ちコンクリートは、前記第１のプレキャストコンクリート製基礎ユニットの各セル内に配置され、
前記第２のプレキャストコンクリート製基礎ユニットの前記多数の支持体の各々は、前記第２のプレキャストコンクリート製基礎ユニットの前記チャネル内に多数の互いに間隔を置いたセルを構成するよう前記第２のプレキャストコンクリート製基礎ユニットの前記内側の細長い直立壁部材と前記外側の細長い直立壁部材との間で側方に延び、前記第２の組み合わせ型プレキャストコンクリート・現場打ちコンクリート製基礎構造物の前記現場打ちコンクリートは、前記第２のプレキャストコンクリート製基礎ユニットの各セル内に配置されている、請求項１記載の橋梁システム。
【請求項４】
前記第１のプレキャストコンクリート製基礎ユニットの前記多数のセルの各々は、頂部と底部の両方が開いており、前記第１の組み合わせ型プレキャストコンクリート・現場打ちコンクリート製基礎構造物の前記現場打ちコンクリートは、各セルを頂部から底部まで実質的に閉じており、
前記第２のプレキャストコンクリート製基礎ユニットの前記多数のセルの各々は、頂部と底部の両方が開いており、前記第２の組み合わせ型プレキャストコンクリート・現場打ちコンクリート製基礎構造物の前記現場打ちコンクリートは、各セルを頂部から底部まで実質的に閉じている、請求項３記載の橋梁システム。
【請求項５】
受け入れチャネルが前記第１のプレキャストコンクリート製基礎ユニットの前記多数の支持体の各々の上に配置され、前記受け入れユニットは、前記多数の橋梁ユニットのうちの少なくとも１つの前記第１の底部分を受け入れてこれを支持し、
受け入れチャネルが前記第２のプレキャストコンクリート製基礎ユニットの前記多数の支持体の各々の上に配置され、前記受け入れユニットは、前記多数の橋梁ユニットのうちの少なくとも１つの前記第２の底部分を受け入れてこれを支持する、請求項４記載の橋梁システム。
【請求項６】
前記第１のプレキャストコンクリート製基礎ユニットの前記多数の支持体の各々の前記受け入れチャネルは、前記多数の橋梁ユニットのうちの少なくとも２つの前記第１の底部分を受け入れてこれを支持し、
前記第２のプレキャストコンクリート製基礎ユニットの前記多数の支持体の各々の前記受け入れチャネルは、前記多数の橋梁ユニットのうちの少なくとも２つの前記第１の底部分を受け入れてこれを支持する、請求項５記載の橋梁システム。
【請求項７】
前記第１のプレキャストコンクリート製基礎ユニットの前記多数の支持体の各々の前記受け入れチャネルは、前記第１のプレキャストコンクリート製基礎ユニットの前記チャネル内から前記第１のプレキャストコンクリート製基礎ユニットの前記内側の細長い直立壁部材まで延び、
前記第２のプレキャストコンクリート製基礎ユニットの前記多数の支持体の各々の前記受け入れチャネルは、前記第２のプレキャストコンクリート製基礎ユニットの前記チャネル内から前記第２のプレキャストコンクリート製基礎ユニットの前記内側の細長い直立壁部材まで延びている、請求項５記載の橋梁システム。
【請求項８】
前記多数の橋梁ユニットの各々は、（ｉ）そのそれぞれの第１の底部分から前記第１の組み合わせ型プレキャストコンクリート・現場打ちコンクリート製基礎構造物より上方に遠ざかり、そして（ｉｉ）前記第２の組み合わせ型プレキャストコンクリート・現場打ちコンクリート製基礎構造物に向かって内方に延びる第１の壁部分を有し、
前記多数の橋梁ユニットの各々は、（ｉ）そのそれぞれの第２の底部分から前記第２の組み合わせ型プレキャストコンクリート・現場打ちコンクリート製基礎構造物より上方に遠ざかり、そして（ｉｉ）前記第１の組み合わせ型プレキャストコンクリート・現場打ちコンクリート製基礎構造物に向かって内方に延びる第２の壁部分を有する、請求項７記載の橋梁システム。
【請求項９】
前記第１の組み合わせ型プレキャストコンクリート・現場打ちコンクリート製基礎構造物の前記現場打ちコンクリートは、各橋梁ユニットの前記第１の底部分の外側部のところの方が各橋梁ユニットの前記第１の底部分の内側部のところよりも高い高さを有し、
前記第２の組み合わせ型プレキャストコンクリート・現場打ちコンクリート製基礎構造物の前記現場打ちコンクリートは、各橋梁ユニットの前記第２の底部分の外側部のところの方が各橋梁ユニットの前記第２の底部分の内側部のところよりも高い高さを有する、請求項７記載の橋梁システム。
【請求項１０】
前記第１のプレキャストコンクリート製基礎ユニットの前記多数の支持体の各々の前記受け入れチャネルは、該受け入れチャネルに形成された凹部又は該受け入れチャネルに取り付けられたチャネル部材のうちの一方であり、前記第２のプレキャストコンクリート製基礎ユニットの前記多数の支持体の各々の前記受け入れチャネルは、該受け入れチャネルに形成された凹部又は該受け入れチャネルに取り付けられたチャネル部材のうちの一方である、請求項５記載の橋梁システム。
【請求項１１】
各橋梁ユニットの前記第１の底部分の外側部のところの前記現場打ちコンクリートは、前記第１の底部分の外側部を埋め込むよう前記第１の底部分の底面よりも高く、各橋梁ユニットの前記第１の底部分の前記内側部のところの前記現場打ちコンクリートは、前記第１の底部分の前記底面と実質的に面一をなし、
各橋梁ユニットの前記第２の底部分の外側部のところの前記現場打ちコンクリートは、前記第２の底部分の外側部を埋め込むよう前記第２の底部分の底面よりも高く、各橋梁ユニットの前記第２の底部分の前記内側部のところの前記現場打ちコンクリートは、前記第２の底部分の前記底面と実質的に面一をなしている、請求項９記載の橋梁システム。
【請求項１２】
前記第１のプレキャストコンクリート製基礎ユニットの前記多数の支持体の各々の前記受け入れチャネルは、前記第１のプレキャストコンクリート製基礎ユニットの前記チャネル内に完全に納められ、
前記第２のプレキャストコンクリート製基礎ユニットの前記多数の支持体の各々の前記受け入れチャネルは、前記第２のプレキャストコンクリート製基礎ユニットの前記チャネル内に完全に納められている、請求項５記載の橋梁システム。
【請求項１３】
前記第１のプレキャストコンクリート製基礎ユニットの前記多数の支持体のうちの少なくとも幾つかは、前記第１のプレキャストコンクリート製基礎ユニットのセルからセルまで延びていて、現場打ちコンクリートが注ぎ込み中、１つのセルから前記支持体を通って別のセルに流れることができるようにする少なくとも１つの流れ開口部を有し、該流れ開口部内には現場打ちコンクリートが納められ、
前記第２のプレキャストコンクリート製基礎ユニットの前記多数の支持体のうちの少なくとも幾つかは、前記第２のプレキャストコンクリート製基礎ユニットのセルからセルまで延びていて、現場打ちコンクリートが注ぎ込み中、１つのセルから前記支持体を通って別のセルに流れることができるようにする少なくとも１つの流れ開口部を有し、該流れ開口部内には現場打ちコンクリートが納められている、請求項３記載の橋梁システム。
【請求項１４】
前記第１のプレキャストコンクリート製基礎ユニットの前記多数の支持体のうちの少なくとも幾つかは、前記第１のプレキャストコンクリート製基礎ユニットのセルからセルまで延びる多数の補強材用開口部を有し、各補強材用開口部は、前記流れ開口部よりも小さく、補強材が前記補強材用開口部の各々を通ってセルからセルまで延び、前記補強材は、前記第１の組み合わせ型プレキャストコンクリート・現場打ちコンクリート製基礎構造物の前記現場打ちコンクリート内に埋め込まれた端部を有し、
前記第２のプレキャストコンクリート製基礎ユニットの前記多数の支持体のうちの少なくとも幾つかは、前記第２のプレキャストコンクリート製基礎ユニットのセルからセルまで延びる多数の補強材用開口部を有し、各補強材用開口部は、前記流れ開口部よりも小さく、補強材が前記補強材用開口部の各々を通ってセルからセルまで延び、前記補強材は、前記第２の組み合わせ型プレキャストコンクリート・現場打ちコンクリート製基礎構造物の前記現場打ちコンクリート内に埋め込まれた端部を有する、請求項１３記載の橋梁システム。
【請求項１５】
前記第１の組み合わせ型プレキャストコンクリート・現場打ちコンクリート製基礎構造物は、
前記第１のプレキャストコンクリート製基礎ユニットの一端部のところに第１のプレキャスト袖壁基礎ユニットを更に含み、補強材が前記第１のプレキャスト袖壁基礎ユニットから前記第１のプレキャストコンクリート製基礎ユニット中に延び、前記補強材は、前記第１の組み合わせ型プレキャストコンクリート・現場打ちコンクリート製基礎構造物の前記現場打ちコンクリート内に埋め込まれ、
前記第２の組み合わせ型プレキャストコンクリート・現場打ちコンクリート製基礎構造物は、
前記第２のプレキャストコンクリート製基礎ユニットの一端部のところに第２のプレキャスト袖壁基礎ユニットを更に含み、補強材が前記第２のプレキャスト袖壁基礎ユニットから前記第２のプレキャストコンクリート製基礎ユニット中に延び、前記補強材は、前記第２の組み合わせ型プレキャストコンクリート・現場打ちコンクリート製基礎構造物の前記現場打ちコンクリート内に埋め込まれている、請求項１記載の橋梁システム。
【請求項１６】
補強材が前記第１のプレキャスト袖壁基礎ユニットから前記第１のプレキャストコンクリート製基礎ユニットの前記チャネル中に延び、
補強材が前記第２のプレキャスト袖壁基礎ユニットから前記第２のプレキャストコンクリート製基礎ユニットの前記チャネル中に延びている、請求項１５記載の橋梁システム。
【請求項１７】
前記第１のプレキャスト袖壁基礎ユニットの底部は、前記第１のプレキャスト袖壁基礎ユニットの頂部よりも幅が広く、前記第２のプレキャスト袖壁基礎ユニットの底部は、前記第２のプレキャスト袖壁基礎ユニットの頂部よりも幅が広い、請求項１５記載の橋梁システム。
【請求項１８】
前記第１の組み合わせ型プレキャストコンクリート・現場打ちコンクリート製基礎構造物は、
前記第１のプレキャストコンクリート製基礎ユニットの一端部に当接した第３のプレキャストコンクリート製基礎ユニットを更に含み、前記第３のプレキャストコンクリート製基礎ユニットは、内側の細長い直立壁部材、前記内側の細長い直立壁部材から間隔を置いて配置されていて、前記内側の細長い直立壁部材との間にチャネルを構成する外側の細長い直立壁部材及び前記チャネル内に配置された多数の直立支持体を有し、前記第３のプレキャストコンクリート製基礎ユニットの前記内側の細長い直立壁部材、前記外側の細長い直立壁部材及び前記チャネルは、それぞれ、前記第１のプレキャストコンクリート製基礎ユニットの前記内側の細長い直立壁部材、前記外側の細長い直立壁部材及び前記チャネルと整列し、前記第１の組み合わせ型プレキャストコンクリート・現場打ちコンクリート製基礎構造物の前記現場打ちコンクリート内に埋め込まれた補強材が前記第１のプレキャストコンクリート製基礎ユニットと前記第３のプレキャストコンクリート製基礎ユニットを構造的に連結し、
前記第２の組み合わせ型プレキャストコンクリート・現場打ちコンクリート製基礎構造物は、
前記第１のプレキャストコンクリート製基礎ユニットの一端部に当接した第４のプレキャストコンクリート製基礎ユニットを更に含み、前記第４のプレキャストコンクリート製基礎ユニットは、内側の細長い直立壁部材、前記内側の細長い直立壁部材から間隔を置いて配置されていて、前記内側の細長い直立壁部材との間にチャネルを構成する外側の細長い直立壁部材及び前記チャネル内に配置された多数の直立支持体を有し、前記第４のプレキャストコンクリート製基礎ユニットの前記内側の細長い直立壁部材、前記外側の細長い直立壁部材及び前記チャネルは、それぞれ、前記第２のプレキャストコンクリート製基礎ユニットの前記内側の細長い直立壁部材、前記外側の細長い直立壁部材及び前記チャネルと整列し、前記第２の組み合わせ型プレキャストコンクリート・現場打ちコンクリート製基礎構造物の前記現場打ちコンクリート内に埋め込まれた補強材が前記第２のプレキャストコンクリート製基礎ユニットと前記第４のプレキャストコンクリート製基礎ユニットを構造的に連結している、請求項１記載の橋梁システム。
【請求項１９】
前記第３のプレキャストコンクリート製基礎ユニットの端部は、前記第１のプレキャストコンクリート基礎ユニットの端部に当接し、前記端部の各々は、互いに当接した前記端部が現場打ちコンクリートを収納する連続セルを形成するようそのそれぞれの内側の細長い直立壁部材と外側の細長い直立壁部材との間で実質的に開いており、
前記第４のプレキャストコンクリート製基礎ユニットの端部は、前記第２のプレキャストコンクリート基礎ユニットの端部に当接し、前記端部の各々は、互いに当接した前記端部が現場打ちコンクリートを収納する連続セルを形成するようそのそれぞれの内側の細長い直立壁部材と外側の細長い直立壁部材との間で実質的に開いている、請求項１８記載の橋梁システム。
【請求項２０】
前記第１のプレキャストコンクリート製基礎ユニットは、前記内側の細長い直立壁部材と前記外側の細長い直立壁部材との間で延びる底壁を有し、前記第１のプレキャストコンクリート製基礎ユニットの前記多数の支持体の各々は、前記底壁から上方に延びると共に前記内側の細長い直立壁部材と前記外側の細長い直立壁部材の両方から間隔を置いて位置し、
前記第２のプレキャストコンクリート製基礎ユニットは、前記内側の細長い直立壁部材と前記外側の細長い直立壁部材との間で延びる底壁を有し、前記第２のプレキャストコンクリート製基礎ユニットの前記多数の支持体の各々は、前記底壁から上方に延びると共に前記内側の細長い直立壁部材と前記外側の細長い直立壁部材の両方から間隔を置いて位置している、請求項１記載の橋梁システム。
【請求項２１】
組み合わせ型プレキャストコンクリート・現場打ちコンクリート製基礎構造物を建造する際に用いられるプレキャストコンクリート製基礎ユニットであって、前記プレキャストコンクリート製基礎ユニットは、
第１の細長い直立壁部材、前記第１の細長い直立壁部材から間隔を置いて位置していて、前記第１の細長い直立壁部材との間にチャネルを構成する第２の細長い直立壁部材及び前記チャネル内に配置された多数の直立支持体を有し、前記多数の支持体の各々は、（ｉ）前記チャネルの長さに沿って多数の互いに間隔を置いたセルを構成すると共に（ｉｉ）前記第１の細長い直立壁部材と前記第２の細長い直立壁部材を剛性的に連結するよう前記第１のプレキャストコンクリート製基礎ユニットの前記第１の細長い直立壁部材と前記第２の細長い直立壁部材との間で側方に延び、前記多数のセルの各々は、頂部と底部の両方が開いており、受け入れチャネルが前記多数の支持体の各々の上に配置され、前記多数の支持体のうちの少なくとも幾つかは、セルからセルまで延びていて、現場打ちコンクリートが注ぎ込み中、１つのセルから前記支持体を通って別のセルに流れることができるようにする少なくとも１つの流れ開口部を有する、プレキャストコンクリート製基礎ユニット。
【請求項２２】
前記多数の支持体の各々の前記受け入れチャネルは、前記チャネル内から前記第１の細長い直立壁部材まで側方に延びている、請求項２１記載のプレキャストコンクリート製基礎ユニット。
【請求項２３】
前記第２の細長い直立壁部材は、前記第１の細長い直立壁部材の高さよりも高い高さを有する、請求項２２記載のプレキャストコンクリート製基礎ユニット。
【請求項２４】
前記多数の支持体の各々の前記受け入れチャネルは、前記チャネル内に完全に納められている、請求項２１記載のプレキャストコンクリート製基礎ユニット。
【請求項２５】
各受け入れチャネルは、（ｉ）そのそれぞれの支持体の頂部に形成された凹部又は（ｉｉ）そのそれぞれの支持体の頂部に取り付けられたチャネル部材のうちの一方である、請求項２１記載のプレキャストコンクリート製基礎ユニット。
【請求項２６】
橋梁据え付け現場に配置された請求項２１記載のプレキャストコンクリート製基礎ユニットを組み込んだ組み合わせ型プレキャストコンクリート・現場打ちコンクリート基礎構造物であって、
前記プレキャストコンクリート製基礎ユニットの前記チャネル内に設けられた状態で前記現場打ちコンクリートと前記第１の細長い直立壁部材の両方内に埋め込まれた補強材及び前記現場打ちコンクリートと前記第２の細長い直立壁部材の両方内に埋め込まれた補強材によって前記第１及び前記第２の細長い直立壁部材の各々に結合され、前記現場打ちコンクリートは、各セルを頂部から底部まで実質的に閉じ、現場打ちコンクリートが前記支持体の流れ開口部内に納められている、組み合わせ型プレキャストコンクリート・現場打ちコンクリート製基礎構造物。
【請求項２７】
前記プレキャストコンクリート製基礎ユニットの前記多数の支持体のうちの少なくとも幾つかは、セルからセルまでの多数の補強通路を更に有し、補強材が前記補強通路を通ってセルからセルまで通ると共に前記現場打ちコンクリート内に埋め込まれている、請求項２６記載の構造物。
【請求項２８】
橋梁据え付け現場に配置された組み合わせ型プレキャストコンクリート・現場打ちコンクリート製基礎構造物であって、
内側の細長い直立壁部材、前記内側の細長い直立壁部材から間隔を置いて位置していて、前記内側の細長い直立壁部材との間にチャネルを構成する外側の細長い直立壁部材及び前記チャネル内に配置された多数の直立支持体を有するプレキャストコンクリート製基礎ユニットを含み、
前記プレキャストコンクリート製基礎ユニットとは別個に形成されると共に前記チャネル内に位置決めされていて、前記チャネルから上方に且つ前記プレキャストコンクリート製基礎ユニットの上方に延びる細長いプレキャストコンクリート製ペデスタルユニットを含み、前記細長いプレキャストコンクリート製ペデスタルユニットの頂面は、該頂面に設けられた凹部又はチャネル部材を有し、
前記チャネル内に納められた現場打ちコンクリートを含み、前記現場打ちコンクリートは、（ｉ）前記現場打ちコンクリートと前記内側の細長い直立壁部材の両方内に埋め込まれた補強材及び前記現場打ちコンクリートと前記外側の細長い直立壁部材の両方内に埋め込まれた補強材によって前記内側及び前記外側の細長い直立壁部材の各々に結合されると共に（ｉｉ）前記現場打ちコンクリートと前記プレキャストコンクリート製ペデスタルユニットの両方内に埋め込まれた補強材によって前記細長いプレキャストコンクリート製ペデスタルユニットに結合されている、構造物。
【請求項２９】
前記細長いプレキャストコンクリート製ペデスタルユニットの底部は、前記チャネル内の現場打ちのコンクリート内に埋め込まれている、請求項２８記載の構造物。
【請求項３０】
前記細長いプレキャストコンクリート製ペデスタルユニットは、前記多数の支持体の上に着座し、補強材が前記細長いプレキャストコンクリート製ペデスタルユニットの底部から前記チャネル内の前記現場打ちコンクリート内に延びている、請求項２９記載の構造物。
【請求項３１】
前記多数の支持体の各々は、頂部凹部又は頂部チャネル部材を有し、前記細長いプレキャストコンクリート製ペデスタルユニットは、前記凹部又は前記チャネル部材内に嵌め込まれている、請求項３０記載の構造物。
【請求項３２】
請求項２８記載の組み合わせ型プレキャストコンクリート・現場打ちコンクリート製基礎構造物を少なくとも１つ含む橋梁システムであって、
多数の橋梁ユニットを更に含み、前記多数の橋梁ユニットの各々は、前記組み合わせ型プレキャストコンクリート・現場打ちコンクリート製基礎構造物によって支持された第１の底側部分を有し、各第１の底側部分は、前記細長いプレキャストコンクリート製ペデスタルユニットの前記凹部又は前記チャネル部材内に嵌め込まれている、橋梁システム。
【請求項３３】
前記組み合わせ型プレキャストコンクリート・現場打ちコンクリート製基礎構造物は、第１の組み合わせ型プレキャストコンクリート・現場打ちコンクリート製基礎構造物であり、前記プレキャストコンクリート製基礎ユニットは、第１のプレキャストコンクリート製基礎ユニットであり、前記細長いプレキャストコンクリート製ペデスタルユニットは、第１の細長いプレキャストコンクリート製ペデスタルユニットであり、前記橋梁システムは、
前記橋梁据え付け現場に配置されると共に前記第１の組み合わせ型プリキャストコンクリート・現場打ちコンクリート製基礎構造物に実質的に平行に延びる第２の組み合わせ型プレキャストコンクリート・現場打ちコンクリート製基礎構造物を更に含み、前記第２の組み合わせ型プレキャストコンクリート・現場打ちコンクリート製基礎構造物は、
内側の細長い直立壁部材、前記内側の細長い直立壁部材から間隔を置いて位置していて、前記内側の細長い直立壁部材との間にチャネルを構成する外側の細長い直立壁部材及び前記チャネル内に配置された多数の直立支持体を有する第２のプレキャストコンクリート製基礎ユニットを含み、
前記第２のプレキャストコンクリート製基礎ユニットとは別個に形成されると共に前記チャネル内に位置決めされていて、前記チャネルから上方に且つ前記プレキャストコンクリート製基礎ユニットの上方に延びる第２の細長いプレキャストコンクリート製ペデスタルユニットを含み、前記第２の細長いプレキャストコンクリート製ペデスタルユニットの頂面は、該頂面に設けられた凹部又はチャネル部材を有し、
前記第２のプレキャストコンクリート製基礎ユニットの前記チャネル内に納められた現場打ちコンクリートを含み、前記現場打ちコンクリートは、（ｉ）前記現場打ちコンクリートと前記内側の細長い直立壁部材の両方内に埋め込まれた補強材及び前記現場打ちコンクリートと前記外側の細長い直立壁部材の両方内に埋め込まれた補強材によって前記内側及び前記外側の細長い直立壁部材の各々に結合されると共に（ｉｉ）前記現場打ちコンクリートと前記第２のプレキャストコンクリート製ペデスタルユニットの両方内に埋め込まれた補強材によって前記第２の細長いプレキャストコンクリート製ペデスタルユニットに結合され、
前記多数の橋梁ユニットの各々は、前記第２の細長い組み合わせ型プレキャストコンクリート・現場打ちコンクリート製基礎構造物によって支持された第２の底側部分を有し、各第２の底側部分は、前記第２の細長いプレキャストコンクリート製ペデスタルユニットの前記凹部又は前記チャネル部材内に嵌め込まれている、請求項３２記載の橋梁システム。
【請求項３４】
組み合わせ型プレキャストコンクリート・現場打ちコンクリート製基礎構造物を建造する方法であって、
第１の細長い直立壁部材、前記第１の細長い直立壁部材から間隔を置いて位置していて、前記第１の細長い直立壁部材との間にチャネルを構成する第２の細長い直立壁部材及び前記チャネル内に配置された多数の直立支持体を有する第１のプレキャストコンクリート製基礎ユニットを建造現場で受け取るステップと、
前記第１のプレキャストコンクリート製基礎ユニットを前記建造現場の所望の使用場所に配置するステップと、
前記第１のプレキャストコンクリート製基礎ユニットが前記所望の使用場所に位置したままの状態でコンクリートを前記第１のプレキャストコンクリート製基礎ユニットの前記チャネル内に送り込むステップと、
前記コンクリートが現場硬化することができ、その結果、前記第１及び前記第２の細長い直立壁部材の各々が前記現場硬化コンクリートと前記第１の細長い直立壁部材の両方内に埋め込まれた補強材及び前記現場硬化コンクリートと前記第２の細長い直立壁部材の両方内に埋め込まれた補強材によって前記現場硬化コンクリートに連結されるようにするステップとを含む、方法。
【請求項３５】
前記第１のプレキャストコンクリート製基礎ユニットの前記多数の支持体の各々は、前記第１のプレキャストコンクリート製基礎ユニットの前記チャネル内に多数の互いに間隔を置いたセルを構成するよう前記第１のプレキャストコンクリート製基礎ユニットの前記内側の細長い直立壁部材と前記外側の細長い直立壁部材との間で側方に延び、前記送り込みステップは、前記コンクリートを前記第１のプリキャストコンクリート製基礎ユニットの各セル内に送り込むステップを含む、請求項３４記載の方法。
【請求項３６】
前記第１のプレキャストコンクリート製基礎ユニットの前記多数のセルの各々は、頂部と底部の両方が開いており、前記現場硬化コンクリートは、前記各セルを頂部から底部まで実質的に閉じる、請求項３５記載の方法。
【請求項３７】
前記送り込みステップに先立って、プリキャストコンクリート製ペデスタルユニット又は橋梁ユニットのうちの一方が前記多数の支持体上で前記チャネル内に少なくとも部分的に支持され、前記コンクリートの現場硬化可能ステップ中、前記プリキャストコンクリート製ペデスタルユニット又は前記橋梁ユニットのうちの一方の底部分が前記現場硬化コンクリート内に埋め込まれた状態になる、請求項３４記載の方法。
【請求項３８】
前記多数の支持体の各々は、該支持体に設けられた頂部凹部又はチャネル部材を有し、前記プレキャストコンクリート製ペデスタルユニット又は前記橋梁ユニットのうちの前記一方は、前記頂部凹部又はチャネル部材によって支持されている、請求項３７記載の方法。
【請求項３９】
前記第１のプレキャストコンクリート製基礎ユニットの前記多数の支持体の各々の前記頂部凹部又はチャネル部材は、前記チャネル内から前記第１の細長い直立型壁部材まで延び、前記送り込みステップ中、前記底部分と前記第２の細長い直立壁部材との間に位置する前記送り込みコンクリートが第１の高さに設置され、前記底部分と前記第１の細長い直立部材との間に位置する前記送り込みコンクリートは、前記第１の高さよりも低い前記第２の高さに設置される、請求項３７記載の方法。
【請求項４０】
プレキャストコンクリート袖壁基礎ユニットを前記建造現場で受け取るステップと、
前記送り込みステップに先立って、前記プレキャストコンクリート袖壁基礎ユニットを補強材が前記プレキャストコンクリート袖壁基礎ユニットから前記チャネル内に延びるように前記第１のプレキャストコンクリート製基礎ユニットの一端部のところに配置するステップとを更に含み、
前記送り込みステップ及び前記コンクリート現場硬化可能ステップの結果として、前記プレキャストコンクリート袖壁基礎ユニットから前記チャネル内に延びる前記補強材は、前記現場硬化コンクリート内に埋め込まれた状態になる、請求項３４記載の方法。
【請求項４１】
前記プレキャストコンクリート袖壁基礎ユニットは、底面及び頂面を有し、前記底面は、前記頂面よりも幅が広い、請求項４０記載の方法。
【発明の詳細な説明】
【技術分野】
【０００１】
本願は、構造工学、橋梁工学及び地盤工学という一般技術及びオーバーフィル型アーチ及び他の橋梁構造物用基礎という特定分野に関する。
【０００２】
〔関連出願の説明〕
本願は、２０１０年４月２５日に出願された米国特許仮出願第６１／６３７，９２２号及び２０１１年７月２０日に出願された米国特許仮出願第６１／５０５，５６４号の権益主張出願であり、これら米国仮特許の各々を参照により引用し、その記載内容を本明細書の一部とする。
【背景技術】
【０００３】
オーバーフィル型橋梁構造物は、プレキャスト又は現場打ち補強又は鉄筋コンクリートで作られる場合が多く、橋梁の場合、第１の経路を第２の経路上に支持するために用いられ、第２の経路は、水路、交通路線又は他の構造物の場合、貯蔵スペース等である場合がある。「オーバーフィル型橋梁（overfilled bridge）」という用語は、本発明の教示から理解され、一般には、本明細書で用いられているように、オーバーフィル型橋梁は、基礎の上に載っている橋梁要素又はユニットで形成された橋梁であり、かかるオーバーフィル型橋梁は、構造物を支持すると共に安定化するために／橋梁の場合、第１の経路の表面を提供するためにこの上に且つこの周りに載っている土壌等を有する。
【０００４】
従来、オーバーフィル型橋梁構造物の橋梁ユニットは、構造物の両側の底部のところに設けられた整備済みの基礎上に載るよう建造されていた。アーチの側部のところのフィル材料（埋め戻し材料）は、構造物に上から荷重が加えられた場合でも構造物の外方変位を減少させるのに役立つ。従来用いられている基礎は、典型的には、現場打ちされ、相当な現場整備並びに製造時間及び労力を必要とすると共に基礎整備を建造プロセスの天候の影響を極めて受けやすいステップにしている。
【発明の概要】
【発明が解決しようとする課題】
【０００５】
製造性、据え付け及び橋梁構造物を効果的に受け入れて支持する能力に関して有利な基礎構造物、システム及び方法が望ましい。
【課題を解決するための手段】
【０００６】
構造物又は構造物の一部分に関して本明細書において用いられる「プレキャスト」又は「プレキャストコンクリート」という用語は、構造物又は構造物の一部分のコンクリートが注ぎ込まれて硬化し、それにより建造現場又は構造物若しくは構造物との一部分が使用のために据え付けられる他の据え付け／使用場所への構造物又は構造物の一部分の配送に先立って構造物又は構造物の一部分を作ることを意味している。
【０００７】
構造物又は構造物の一部分に関して本明細書で用いられる「現場打ち」又は「現場打ちコンクリート」という用語は、構造物又は構造物の一部分のコンクリートが注ぎ込まれて構造物又は構造物の一部分の据え付け／使用場所で硬化することを意味している。
【０００８】
本明細書で用いられる「コンクリート」という用語は、伝統的なコンクリート並びに変形コンクリート、例えばプラスチック／ポリマー又は樹脂が混入され或いは繊維又は他の材料が混入されたコンクリート組成を意味している。
【０００９】
第１の観点では、橋梁システムは、第１の組み合わせ型プレキャストコンクリート・現場打ちコンクリート製の基礎構造物及び第２の組み合わせ型プレキャストコンクリート・現場打ちコンクリート製の基礎構造物を含む。第１の組み合わせ型プレキャストコンクリート・現場打ちコンクリート製基礎構造物は、内側の細長い直立壁部材、内側の細長い直立壁部材から間隔を置いて配置されていて、内側の細長い直立壁部材との間にチャネルを構成する外側の細長い直立壁部材及びチャネル内に配置された多数の直立支持体を有する第１のプレキャストコンクリート製基礎ユニットと、第１のプレキャストコンクリート製基礎ユニットのチャネル内の現場打ちコンクリートとを含み、現場打ちコンクリートは、現場打ちコンクリートと内側の細長い直立壁部材の両方内に埋め込まれた補強材及び現場打ちコンクリートと外側の細長い直立壁部材の両方内に埋め込まれた補強材によって内側及び外側の細長い直立壁部材の各々に結合されている。第２の組み合わせ型プレキャストコンクリート・現場打ちコンクリート製の基礎構造物は、第１の組み合わせ型プレキャストコンクリート・現場打ちコンクリート製基礎構造物から間隔を置いて配置されていて、第１の組み合わせ型プレキャストコンクリート・現場打ちコンクリート製基礎構造物に実質的に平行に延びており、第２の組み合わせ型プレキャストコンクリート・現場打ちコンクリート製基礎構造物は、内側の細長い直立壁部材、内側の細長い直立壁部材から間隔を置いて設けられていて、内側の細長い直立壁部材との間にチャネルを構成する外側の細長い直立壁部材及びチャネル内に配置された多数の直立支持体を有する第２のプレキャストコンクリート製基礎ユニットと、第２のプレキャストコンクリート製基礎ユニットのチャネル内の現場打ちコンクリートとを含み、現場打ちコンクリートは、現場打ちコンクリートと第２のプレキャストコンクリート製基礎ユニットの内側の細長い直立壁部材の両方内に埋め込まれた補強材及び現場打ちコンクリートと第２のプレキャストコンクリート製基礎ユニットの外側の細長い直立壁部材の両方内に埋め込まれた補強材によって第２のプレキャストコンクリート製基礎ユニットの内側及び外側の細長い直立壁部材の各々に結合されている。橋梁システムは、多数の橋梁ユニットを含み、多数の橋梁ユニットの各々は、第１の底部分及び第１の底部分から間隔を置いて設けられた第２の底部分を有し、第１の底部分は、第１の組み合わせ型プレキャストコンクリート・現場打ちコンクリート製基礎構造物によって支持されると共に第１の組み合わせ型プレキャストコンクリート・現場打ちコンクリート製基礎構造物の現場打ちコンクリート内に少なくとも部分的に埋め込まれており、第２の底部分は、第２の組み合わせ型プレキャストコンクリート・現場打ちコンクリート製基礎構造物によって支持されると共に第２の組み合わせ型プレキャストコンクリート・現場打ちコンクリート製基礎構造物の現場打ちコンクリート内に少なくとも部分的に埋め込まれている。
【００１０】
第１の観点では、第１のプレキャストコンクリート製基礎ユニットの多数の支持体は、第２のプレキャストコンクリート製基礎ユニットの多数の支持体と実質的に整列するのが良い。
【００１１】
第１の観点では、第１のプレキャストコンクリート製基礎ユニットの多数の支持体の各々は、第１のプレキャストコンクリート製基礎ユニットのチャネル内に多数の互いに間隔を置いたセルを構成するよう第１のプレキャストコンクリート製基礎ユニットの内側の細長い直立壁部材と外側の細長い直立壁部材との間で側方に延びるのが良く、第１の組み合わせ型プレキャストコンクリート・現場打ちコンクリート製基礎構造物の現場打ちコンクリートは、第１のプレキャストコンクリート製基礎ユニットの各セル内に配置され、第２のプレキャストコンクリート製基礎ユニットの多数の支持体の各々は、第２のプレキャストコンクリート製基礎ユニットのチャネル内に多数の互いに間隔を置いたセルを構成するよう第２のプレキャストコンクリート製基礎ユニットの内側の細長い直立壁部材と外側の細長い直立壁部材との間で側方に延び、第２の組み合わせ型プレキャストコンクリート・現場打ちコンクリート製基礎構造物の現場打ちコンクリートは、第２のプレキャストコンクリート製基礎ユニットの各セル内に配置されている。
【００１２】
第１の観点では、第１のプレキャストコンクリート製基礎ユニットの多数のセルの各々は、頂部と底部の両方が開いているのが良く、第１の組み合わせ型プレキャストコンクリート・現場打ちコンクリート製基礎構造物の現場打ちコンクリートは、各セルを頂部から底部まで実質的に閉じているのが良く、第２のプレキャストコンクリート製基礎ユニットの多数のセルの各々は、頂部と底部の両方が開いているのが良く、第２の組み合わせ型プレキャストコンクリート・現場打ちコンクリート製基礎構造物の現場打ちコンクリートは、各セルを頂部から底部まで実質的に閉じているのが良い。
【００１３】
第１の観点では、受け入れチャネルが橋梁ユニットの第１及び第２の底部分を受け入れてこれらを支持するよう第１及び第２のプレキャストコンクリート製基礎ユニットの多数の支持体の各々の上に配置されるのが良い。
【００１４】
第１の観点では、受け入れチャネルは、種々の形態を取ることができ、かかる形態としては、（ｉ）支持体に形成された凹部又は支持体に取り付けられたチャネル部材、（ｉｉ）Ｕ字形又はＬ字形の形態及び／又は（ｉｉｉ）全体がチャネル内に位置し又はチャネル内から細長い直立壁のうちの一方まで延びる形態が挙げられる。
【００１５】
第１の観点では、各橋梁ユニットの底部分の外側部のところの現場打ちコンクリートは、内側部のところよりも高い高さを有するのが良い。さらに、外側部のところの現場打ちコンクリートは、底部分の外側部を埋め込むよう橋梁ユニット底部分の底面よりも高い位置にあるのが良く、内側部のところの現場打ちコンクリートは、底面と実質的に面一をなすのが良い。
【００１６】
第１の観点では、多数の支持体のうちの少なくとも幾つかは、セルからセルまで延びていて、現場打ちコンクリートが注ぎ込み中、１つのセルから支持体を通って別のセルに流れることができるようにする少なくとも１つの流れ開口部を有するのが良く、流れ開口部内には現場打ちコンクリートが設けられる。さらに、多数の支持体のうちの少なくとも幾つかは、セルからセルまで延びる多数の補強材用開口部を有するのが良く、各補強材用開口部は、流れ開口部よりも小さく、補強材が補強材用開口部の各々を通ってセルからセルまで延びるのが良く、かかる補強材は、現場打ちコンクリート内に埋め込まれた端部を有するのが良い。
【００１７】
第１の観点では、組み合わせ型プレキャストコンクリート・現場打ちコンクリート製基礎構造物は、一端部のところにプレキャスト袖壁基礎ユニットを更に含むのが良く、補強材がプレキャスト袖壁基礎ユニットからプレキャストコンクリート製基礎ユニット中に延びて現場打ちコンクリート内に埋め込まれる。補強材は、プレキャスト袖壁基礎ユニットから第１のプレキャストコンクリート製基礎ユニットのチャネル中に延びるのが良い。プレキャスト袖壁基礎ユニットの底部は、プレキャスト袖壁基礎ユニットの頂部よりも幅が広いのが良い。
【００１８】
別の観点では、組み合わせ型プレキャストコンクリート・現場打ちコンクリート製基礎構造物を建造する際に用いられるプレキャストコンクリート製基礎ユニットが提供され、プレキャストコンクリート製基礎ユニットは、第１の細長い直立壁部材、第１の細長い直立壁部材から間隔を置いて位置していて、第１の細長い直立壁部材との間にチャネルを構成する第２の細長い直立壁部材及びチャネル内に配置された多数の直立支持体を有し、多数の支持体の各々は、（ｉ）チャネルの長さに沿って多数の互いに間隔を置いたセルを構成すると共に（ｉｉ）第１の細長い直立壁部材と第２の細長い直立壁部材を剛性的に連結するよう第１のプレキャストコンクリート製基礎ユニットの第１の細長い直立壁部材と第２の細長い直立壁部材との間で側方に延び、多数のセルの各々は、頂部と底部の両方が開いており、受け入れチャネルが多数の支持体の各々の上に配置され、多数の支持体のうちの少なくとも幾つかは、セルからセルまで延びていて、現場打ちコンクリートが注ぎ込み中、１つのセルから支持体を通って別のセルに流れることができるようにする少なくとも１つの流れ開口部を有する。
【００１９】
さらに別の観点では、橋梁据え付け現場に配置された組み合わせ型プレキャストコンクリート・現場打ちコンクリート製基礎構造物が提供され、組み合わせ型プレキャストコンクリート・現場打ちコンクリート製基礎構造物は、内側の細長い直立壁部材、内側の細長い直立壁部材から間隔を置いて位置していて、内側の細長い直立壁部材との間にチャネルを構成する外側の細長い直立壁部材及びチャネル内に配置された多数の直立支持体を有するプレキャストコンクリート製基礎ユニットを含み、組み合わせ型プレキャストコンクリート・現場打ちコンクリート製基礎構造物は、プレキャストコンクリート製基礎ユニットとは別個に形成されると共にチャネル内に位置決めされていて、チャネルから上方に且つプレキャストコンクリート製基礎ユニットの上方に延びる細長いプレキャストコンクリート製ペデスタルユニットを更に含み、細長いプレキャストコンクリート製ペデスタルユニットの頂面は、この頂面に設けられた凹部又はチャネル部材を有し、組み合わせ型プレキャストコンクリート・現場打ちコンクリート製基礎構造物は、チャネル内に納められた現場打ちコンクリートを更に含み、現場打ちコンクリートは、（ｉ）現場打ちコンクリートと内側の細長い直立壁部材の両方内に埋め込まれた補強材及び現場打ちコンクリートと外側の細長い直立壁部材の両方内に埋め込まれた補強材によって内側及び外側の細長い直立壁部材の各々に結合されると共に（ｉｉ）現場打ちコンクリートとプレキャストコンクリート製ペデスタルユニットの両方内に埋め込まれた補強材によって細長いプレキャストコンクリート製ペデスタルユニットに結合されている。
【００２０】
さらに別の観点では、組み合わせ型プレキャストコンクリート・現場打ちコンクリート製基礎構造物を建造する方法は、第１の細長い直立壁部材、第１の細長い直立壁部材から間隔を置いて位置していて、第１の細長い直立壁部材との間にチャネルを構成する第２の細長い直立壁部材及びチャネル内に配置された多数の直立支持体を有する第１のプレキャストコンクリート製基礎ユニットを建造現場で受け取るステップと、第１のプレキャストコンクリート製基礎ユニットを建造現場の所望の使用場所に配置するステップと、第１のプレキャストコンクリート製基礎ユニットが所望の使用場所に位置したままの状態でコンクリートを第１のプレキャストコンクリート製基礎ユニットのチャネル内に送り込むステップと、コンクリートが現場硬化することができ、その結果、第１及び第２の細長い直立壁部材の各々が現場硬化コンクリートと第１の細長い直立壁部材の両方内に埋め込まれた補強材及び現場硬化コンクリートと第２の細長い直立壁部材の両方内に埋め込まれた補強材によって現場硬化コンクリートに連結されるようにするステップとを含む。
【００２１】
この方法の観点の一具体化例では、第１のプレキャストコンクリート製基礎ユニットの多数の支持体の各々は、第１のプレキャストコンクリート製基礎ユニットのチャネル内に多数の互いに間隔を置いたセルを構成するよう第１のプレキャストコンクリート製基礎ユニットの内側の細長い直立壁部材と外側の細長い直立壁部材との間で側方に延び、送り込みステップは、コンクリートを第１のプリキャストコンクリート製基礎ユニットの各セル内に送り込むステップを含む。
【００２２】
この方法の観点の一具体化例では、第１のプレキャストコンクリート製基礎ユニットの多数のセルの各々は、頂部と底部の両方が開いており、現場硬化コンクリートは、各セルを頂部から底部まで実質的に閉じる。
【００２３】
この方法の観点の一具体化例では、送り込みステップに先立って、プリキャストコンクリート製ペデスタルユニット又は橋梁ユニットのうちの一方が多数の支持体上でチャネル内に少なくとも部分的に支持され、コンクリートの現場硬化可能ステップ中、プリキャストコンクリート製ペデスタルユニット又は橋梁ユニットのうちの一方の底部分が現場硬化コンクリート内に埋め込まれた状態になる。
【００２４】
この方法の観点の一具体化例では、多数の支持体の各々は、この支持体に設けられた頂部凹部又はチャネル部材を有し、プレキャストコンクリート製ペデスタルユニット又は橋梁ユニットのうちの一方は、頂部凹部又はチャネル部材によって支持される。
【００２５】
この方法の観点の一具体化例では、第１のプレキャストコンクリート製基礎ユニットの多数の支持体の各々の頂部凹部又はチャネル部材は、チャネル内から第１の細長い直立型壁部材まで延び、送り込みステップ中、底部分と第２の細長い直立壁部材との間に位置する送り込みコンクリートが第１の高さに設置され、底部分と第１の細長い直立部材との間に位置する送り込みコンクリートは、第１の高さよりも低い第２の高さに設置される。
【００２６】
この方法の観点の一具体化例では、この方法は、プレキャストコンクリート袖壁基礎ユニットを建造現場で受け取るステップと、送り込みステップに先立って、プレキャストコンクリート袖壁基礎ユニットを補強材がプレキャストコンクリート袖壁基礎ユニットからチャネル内に延びるように第１のプレキャストコンクリート製基礎ユニットの一端部のところに配置するステップとを更に含み、送り込みステップ及びコンクリート現場硬化可能ステップの結果として、プレキャストコンクリート袖壁基礎ユニットからチャネル内に延びる補強材は、現場硬化コンクリート内に埋め込まれた状態になる。
【００２７】
この方法の観点の一具体化例では、プレキャストコンクリート袖壁基礎ユニットは、底面及び頂面を有し、底面は、頂面よりも幅が広い。
【図面の簡単な説明】
【００２８】
【図１】橋梁システムの斜視図である。
【図２】橋梁ユニットが透明なものとして示された状態の図１の斜視図である。
【図３Ａ】図１の基礎ユニットの実施形態の端面図である。
【図３Ｂ】図１の基礎ユニットの実施形態の端面図である。
【図４】図１の基礎ユニットの別の実施形態の端面図である。
【図５】図１の拡大部分斜視図である。
【図６】別の橋梁システム形状の斜視図である。
【図７】別の橋梁システム形状の斜視図である。
【図８】袖壁を備えた図１の橋梁システムを示す図である。
【図９】袖壁基礎の観点を示す図である。
【図１０】袖壁基礎の観点を示す図である。
【図１１】袖壁基礎の観点を示す図である。
【図１２】基礎ユニットの支持体に関する別の構成を示す図である。
【図１３】基礎ユニットの支持体に関する別の構成を示す図である。
【図１４】基礎構造物がペデスタルを有する実施形態の観点を示す図である。
【図１５】基礎構造物がペデスタルを有する実施形態の観点を示す図である。
【図１６】基礎構造物がペデスタルを有する実施形態の観点を示す図である。
【図１７】基礎構造物がペデスタルを有する実施形態の観点を示す図である。
【図１８】基礎構造物がペデスタルを有する実施形態の観点を示す図である。
【図１９】袖壁アンカーを示す図である。
【図２０】袖壁アンカーを示す図である。
【図２１】金属板を用いた橋梁システムを示す図である。
【図２２】金属板を用いた橋梁システムを示す図である。
【図２３】複合橋梁構造物を利用した橋梁システムの部分図である。
【図２４】橋梁ユニットと一体に形成された基礎構造物を示す図である。
【図２５】橋梁ユニットと一体に形成された基礎構造物を示す図である。
【図２６】基礎構造物の別の実施形態を示す図である。
【図２７】基礎構造物の別の実施形態を示す図である。
【図２８】基礎構造物の別の実施形態を示す図である。
【図２９】基礎構造物の別の実施形態を示す図である。
【図３０】基礎構造物の別の実施形態を示す図である。
【図３１】基礎構造物の別の実施形態を示す図である。
【図３２】ペデスタルユニットと組み合わせされた図２６〜図３１の基礎構造物の変形例を示す図である。
【図３３】橋梁システム及び関連の基礎構造物の別の実施形態を示す図である。
【図３４】橋梁システム及び関連の基礎構造物の別の実施形態を示す図である。
【図３５】橋梁システム及び関連の基礎構造物の別の実施形態を示す図である。
【図３６】プレキャストコンクリート製基礎ユニットの支持体の別の変形実施形態を示す図である。
【図３７】プレキャストコンクリート製基礎ユニットの支持体の別の変形実施形態を示す図である。
【図３８】プレキャストコンクリート製基礎ユニットの支持体の別の変形実施形態を示す図である。
【図３９】ペデスタル構成の別の実施形態を示す図である。
【図４０】ペデスタル構成の別の実施形態を示す図である。
【図４１】ペデスタル構成の別の実施形態を示す図である。
【発明を実施するための形態】
【００２９】
図１〜図４を参照すると、互いに間隔を置いて配置された基礎構造物１２の上に橋梁構造物１０が示されており、基礎構造物は、完成時には、プレキャストコンクリートと現場打ちコンクリートの両方で構成される。図示の実施形態では、橋梁構造物１０は、複数個の並置した三面プレキャスト橋梁ユニット１４によって形成されている。各基礎構造物１２は、端と端を突き合わせて敷設された（例えば、端が互いに当接した状態で）多数のプレキャストコンクリート製基礎ユニット１６によって形成されている。図示の実施形態では、各プレキャストコンクリート製の基礎ユニット１６の長さＬは、橋梁ユニット１４三つ分であるが、多数の変形例が採用可能である。各基礎ユニットは、下側ベース部分１８（例えば、ユニットの底壁として）を有し、それぞれの直立壁２０が全体としてＵ字形のチャネル２２を形成するよう各側で上方に延びている。チャネル２２の中央領域は、一連の上方に延びる互いに間隔を置いた支持体２４を有し、橋梁ユニット１４の側壁の底端部が直接的か間接的かのいずれかで支持体２４上に支持されている。幾つかの具体化例では、底端部は、支持体の表面上に着座するのが良く、他の具体化例では、底端部は、シム又はブラケット上に又は支持体上に取り付けられた他のチャネル部材上に着座するのが良い。支持体２４相互間の間隔は、様々であって良いが、橋梁ユニット上に支持されるよう橋梁ユニットの深さＤB以下であるべきである。支持体は、互いに当接したユニット１６の端支持体２４が図示のように互いに調節するよう基礎ユニット１６の各端部のところに設けられるのが良いが、変形例が採用可能である。
【００３０】
図３及び図４は、基礎ユニット１６の変形実施形態の例示の端面図である。図示の各場合、端面プロフィールは、全体としてＥ字形であり、Ｅの脚部は、上方に向いている。ベース１８、壁２０及び支持体２４は、適当な鋼補強材２６が埋め込まれた一体形鋳物として形成されている。しかしながら、支持体２４は、別個の部品として鋳造され、ベース２４及び壁２０を一緒に鋳造した後か或いはベース１８及び壁２０の鋳造プロセス中（例えば、ベース１８及び壁が鋳造される型内への支持体２４の配置によって）次にベース１８に取り付けられても良い。同様に、ベース１８又は壁２０のうちの一方を鋳造し、次にベース又は壁のうちの他方を、一体形ベース・壁ユニットを形成する仕方で鋳造しても良い。
【００３１】
基礎ユニット１６の壁２０は、ユニットの頂部のところのチャネル２２の幅Ｗc1がユニットのベース１８のところのチャネル２２の幅Ｗc2よりも大きいように僅かに角度が付けられた（垂線に対して）内側部２８を備えるのが良い。この形態により、プレキャスト型枠からユニットを容易に取り出してユニットの重量を減少させるという利点が得られる。ベース１８の上面３０は、以下に更に詳細に説明するように現場でチャネル２２内に配置される現場打ちコンクリートとの結合を助けるようチャネル３２を備えるのが良い。他形式の表面特徴部がかかる結合を助けるよう表面３０上に設けられても良く、かかる表面特徴部としては、チャネルの種々の形状、チャネルの種々のパターン（円形、対角線、編み目）又はレーキによって達成される場合のある全体的粗面化が挙げられ、これらのうちの任意のもの及び全ては、表面の「意図的粗面化」と呼ばれる。また、かかる意図的粗面化は、壁２０の表面２８及び／又は支持体２４の垂直面に施される場合があることが認識される。
【００３２】
図４に示されているように、支持体２４の垂直壁は、コンクリートの注ぎ込みに先立って現場で手作業で配置される補強材３６を受け入れるよう構成された水平に延びるポケット３４を備えるのが良い（例えば、プレキャスティング中）。補強材の一部分は、ポケット３４内に受け入れられ、補強材の一部分は、ポケット３４から突き出る。補強材３６は、多数の基礎ユニット１６により形成された基礎１２の実質的に長さ全体に沿って長さ方向に延びることが想定される。また、これらポケット及び長手方向補強材は、端支持体２４の表面又は側壁２０のうちの１つの中に組み込まれても良いことが認識される。
【００３３】
図３及び図４に示されているように、現場配置補強材３８が支持部材２４の各側上に設けられている。補強材３８は、現場打ちコンクリートと一緒に隣り合う基礎ユニット１６の端部を互いに良好に結合するために用いられ、したがって、かかる補強材は、図５に示唆されているように基礎ユニット１６のかかる端と端の当接部４０の付近に制限されるのが良い。しかしながら、追加の現場配置補強材を幾つかの用途で用いても良い。
【００３４】
基礎ユニット１６の幅、長さ及び高さは、橋梁据え付けの種々の観点に応じて様々であって良いことが想定される。一例を挙げると、スパン（梁間）約１２フィート（なお、１フィートは、０．３０５ｍ）、ライズ約６〜８フィート及び深さ約８フィートの橋梁ユニット１４を利用した橋梁据え付けの場合、寸法Ｔ20‐1、寸法Ｔ20‐2、寸法ＴB、寸法ＷB及び寸法Ｈ（図３Ａ参照）は、それぞれ、約４インチ（なお、１インチは、２．５４ｃｍ）、約５インチ、約６インチ、約４８インチ及び約２４インチ）のオーダーであるのが良く、スパン約２４フィート、ライズ約６〜８フィート及び深さ約８フィートの橋梁ユニット１４を利用した橋梁据え付けの場合、寸法Ｔ20‐1、寸法Ｔ20‐2、寸法ＴB、寸法ＷB及び寸法Ｈ（図３Ａ参照）は、それぞれ、約４インチ、約５インチ、約６インチ、約６０インチ及び約２４インチ）のオーダーであるのが良く、スパン約３６フィート、ライズ約６〜８フィート及び深さ約６フィートの橋梁ユニット１４を利用した橋梁据え付けの場合、寸法Ｔ20‐1、寸法Ｔ20‐2、寸法ＴB、寸法ＷB及び寸法Ｈ（図３Ａ参照）は、それぞれ、約４インチ、約５インチ、約７インチ、約９６インチ及び約３０インチ）のオーダーであるのが良く、スパン約４８フィート、ライズ約６〜８フィート及び深さ約６フィートの橋梁ユニット１４を利用した橋梁据え付けの場合、寸法Ｔ20‐1、寸法Ｔ20‐2、寸法ＴB、寸法ＷB及び寸法Ｈ（図３Ａ参照）は、それぞれ、約４インチ、約５インチ、約８インチ、約１４４インチ及び約３６インチ）のオーダーであるのが良い。支持体２４の厚さは、代表的には、支持体上に載る橋梁ユニットの底端部の厚さと同一であっても良く又はこれよりも大きくても良い。支持体２４の垂直寸法は、全体的プレキャストコンクリート製基礎寸法に基づいて調節される。支持体２４の水平配置場所は、Ｕ字形チャネル内で変化することができ、その結果、幾つかの具体化例では、支持体２４は、Ｕ字形チャネルの幅に沿って心出しされ又は実質的に心出しされ、他の具体化例では、支持体は、Ｕ字形チャネルの中心から部分的に又は完全にずらされる（ユニットの外側側壁に向かうかユニットの内側側壁に向かうかのいずれかに）。
【００３５】
図１及び図２は、真っ直ぐな側壁及び湾曲した頂壁を備えた三面橋梁構造物を想定しているが、本願の基礎システムは、他の橋梁ユニット形態と組み合わせて使用でき、かかる他の橋梁ユニット形態としては、真っ直ぐな側壁及び真っ直ぐな頂壁を備えた三面ユニット（図６）又は橋梁ユニットの実質的全体が湾曲したより伝統的なアーチ構造物（図７）が挙げられる。
【００３６】
据え付けられる橋梁ユニットの形式とは無関係に、本願のプレキャストコンクリート製基礎ユニット１６は、有利な特徴を備えた基礎の提供を容易にする。プレキャストコンクリート製基礎ユニットは、建造現場に輸送されてここで受け入れられる。使用にあたり、最終使用／据え付け現場は、伝統的な方法よりも狭い領域で所望の高さまで掘削し、ユニットを据え付ける追加の埋め戻し材料を含むのが良い水平地下を整備することによってプレキャストコンクリート製基礎ユニットを受け入れるよう整備される。
【００３７】
現場がプレキャストコンクリート製基礎ユニット１６を受け入れるよういったん整備されると、ユニットを端と端を突き合わせた関係で配置して２つの互いに間隔を置いた基礎構造物１２を形成する。一例では、ユニットを互いに隣接して保持する構造物を全く用いないで基礎ユニット１６を単に端と端を突き合わせ状態で配置する。別の実施形態では、整列可能なボルトポケットを基礎ユニットの端部分（例えば、側壁２０、ベース１８及び／又は支持体２４）に形成するのが良く、そしてボルトを手作業で配置し、その後、橋梁ユニットを設置する。さらに別の実施形態では、橋梁ユニット１６は、長手方向に延びるダクトを備えるのが良く、かかるダクトを基礎ユニット内に形成して張力調整部材を一連の基礎ユニットの長さ全体に通してこれらを相互当接関係に固定するのが良い。以下に更に詳細に説明するように、基礎構造物への他のプレキャストコンクリート製コンポーネントも又存在する場合がある（例えば、橋梁構造物の端部のところの袖壁を支持するために）。
【００３８】
プレキャストコンクリート製基礎ユニット１６をいったん所望の位置に設置すると、補強材３６，３８を手作業で配置し、橋梁ユニットを支持構造体２４の上に配置するのが良い。この点に関し、図３及び図４に示されているように、各支持ユニット２４の上面４２を側壁２０の上面４４の下に位置決めするのが良い。橋梁ユニットの側壁の底部は、支持ユニットの上面４２の上に直接載っても良く且つ／或いはシム４６を必要に応じて橋梁ユニット１４の適正な位置合わせ及び位置決めのために設けられるのが良い。或る特定の実施形態では、支持体２４と橋梁ユニットの間に追加の提携及び／又は位置合わせ構造物、例えば、支持体２４の上面から橋梁ユニット側壁の底面のあらかじめ形成された凹部又はポケット４５内に上方に延びるタイロッド４３（図３Ｂ）を設けるのが良く、或いは、支持体と橋梁ユニット側壁の両方にボルトポケットを形成し、橋梁ユニットがいったん設置されるとボルトを取り付けることによって追加の提携及び／又は位置合わせ構造物を設けても良い。タイロッド４３を基礎ユニット１６中にあらかじめ鋳込んでも良く或いは鋳造されてプレキャストコンクリート製基礎ユニット中に埋め込まれた補強断面材の端部のところに設けられた表面接近可能コネクタ中にねじ込んでも良い。全ての橋梁ユニット１４をいったん設置し、補強材を配置すると、コンクリートをＵ字形チャネル中に流し込んで基礎構造物を完成させ、それによりプレキャストコンクリートと現場打ちコンクリートの両方で形成された複合又は組み合わせ基礎を形成する。Ｕ字形チャネルに注ぎ込まれたコンクリートを実質的に充填して組み合わせ型プレキャストコンクリート・現場打ちコンクリート製基礎構造物を作るのが良い。現場打ちコンクリートを代表的にはチャネルの頂部に（図４に破線４６で表されている）又はチャネルの頂部のすぐ下に、いずれの場合においても、各橋梁ユニットの底端部を埋め込んでこれを捕捉し、それにより橋梁ユニットと基礎を一体化するほど十分高く注ぎ込むのが良い。好ましくは、底端部のうちの少なくとも約２〜３インチ分が現場打ちコンクリート内に埋め込まれる。注目されるように、現場打ちコンクリートをＵ字形チャネルの外側部分（即ち、橋梁ユニットの外部に位置する部分）に沿って施工するのが良く、支持体２４相互間の間隔は、コンクリートがＵ字形チャネルの他の内側部分並びに支持体２４相互間の位置合わせされた部分中に自由に流れてこれを満たすことができるようにする。この点に関し、複数個の互いに間隔を置いた支持体２４に代えて、１つ又は２つ以上の横方向底部開口部又はチャネルを備えた細長い支持体を用いても良いことも又想定され、かかるチャネルは、コンクリートが注ぎ込み中、Ｕ字形チャネルの外側部分からＵ字形チャネルの内側部分に流れる道筋を提供する。現場打ちコンクリートを注ぎ込んでこれが硬化した後、埋め戻し、締め固め及び構造物の上方の最終表面の整備を含む代表的な埋め戻し及びオーバーフィル作業が行われるのが良い。
【００３９】
橋梁ユニットの底端部の実施形態が計画されるが、幾つかの場合において、コンクリートは、スパンが定位置で設定される前にＵ字形基礎中に注ぎ込まれても良い。また、幾つかの実施形態では、基礎ユニットのベース１８は、セルフレベリングを助けることができるコンクリートの幾分かの通過を可能にする開口部を備えるのが良い。
【００４０】
上述したように、基礎システムは、追加のコンポーネントを含むのが良い。図８を参照すると、橋梁施設は、橋梁ユニット１４の下の経路５２の各端部のところに袖壁又はウイングウォール５０を更に含むのが良い。この目的のため、基礎構造物１２は、経路５２から角度をなして遠ざかって延びる袖壁支持部分５４を備えるのが良い。各袖壁支持部分５４は、基礎ユニット１６と一体化状態になる１つ又は２つ以上のプレキャストコンクリート袖壁支持ユニット５６によって形成されている。さらに図９〜図１１を参照すると、各プレキャストコンクリート袖壁支持体又は基礎ユニット５６は、台形の形又は頂面よりも幅の広い底面を有する他の形状に形成されるのが良い。頂面は、袖壁５０の底縁部を支持し、底面は、整備された現場表面上に載る。台形の形状により、必要なコンクリートの量が減少する。ユニット５６の一方の端面５８は、全体としてユニット５６の長手方向軸線に垂直に延び、他方の端面６０は、ユニット５６が基礎ユニット１６及び経路５２から遠ざかって延びる角度を定めるよう長手方向軸線に対して直角ではない角度（実質的に９０°からずれている角度）をなして延びる。
【００４１】
一実施形態では、ユニット５６とユニット１６の一体化は、現場打ちコンクリートを用いて達成される。具体的に説明すると、必要な補強材が収納された状態であらかじめ成形された袖壁基礎ユニット５６は、端部６０のところにポケット６２を有するのが良く、補強断面材６４は、現場コンクリート注ぎ込みに先立ってかかるポケット内に位置決めされる。補強断面材６４の支持ユニット１６の長さに沿って軸方向に延びる第１の脚部６６及び袖壁支持ユニット５６の長さに沿ってポケット６２内に軸方向に延びる第２の脚部６８を有している。図示のように、側方に間隔を置いた一連の補強バーが基礎ユニット１６の端支持部材２４の各側に配置されるのが良い。現場コンクリート注ぎ込みが行われると、コンクリートは、ポケット６２を満たして補強材を包囲する。コンクリートが硬化すると、袖壁支持部分５４は、基礎構造物１２の一体部分になる。
【００４２】
変形実施形態では、ユニット５６とユニット１６の一体化は、ダウェルバー又は補強バーをプレキャスティングの際、ユニット５６の端部６０中に一体化してダウェルバーか補強バーかのいずれかがユニットの端部から延び又はコネクタ（例えば、雌ねじ付き）が補強バーのねじ山付き端部を連結することができるユニット５６の端面のところに提供するようにすることによってポケットなしで達成できる。これらダウェルバーは、あらかじめ曲げられ又はその後に曲げられても良く、或いは、補強材を次に端面のところでコネクタに連結して延長補強材部分を図示のようにプレキャストコンクリート製基礎ユニット１６の長さ方向軸線と全体として位置合わせ状態にしても良い。ダウェルバー若しくはロッド又は補強材の突出端部は、現場注ぎ込む中、Ｕ字形チャネルの現場打ちコンクリート内に埋め込まれた状態になる。他の実施形態では、ダウェルロッド又は補強材は、チャネルに入るためにプレキャストコンクリート製基礎ユニット１６の細長い側壁に設けられた開口部を通過しても良い。
【００４３】
図１９及び図２０に示されているように、袖壁５０は、袖壁を側方に支持するよう包囲土充填材料内に埋め込まれた状態になるアンカー部材５１を有するのが良い。
【００４４】
上述したように、支持体２４を別個の部品として鋳造し、次に、ベース１８及び壁２０を一緒に鋳造した後、又はベース１８及び壁２０について鋳造プロセス中かのいずれかにユニット１６のベース１８に取り付けても良い。次に図１２及び図１３を参照すると、一実施形態では、支持体２４は、ベース１８及び側壁２０とは別個にプレキャスティングされる。支持体２４は、最初に部分的に埋め込まれたタイボルト７０（又はボタンバー）を備えた状態でプレキャスティングされ、ヘッド７２がタイボルト７０から延びている。次に、支持体を型内に吊し、型は、ベース１８及び壁２０を作り、その結果、鋳造中、ボルトヘッド７２は、支持体２４をベースに固定するようベース１８内に埋め込み状態になる。Ｕ字形チャネルの垂直面は、Ｕ字形チャネル中に注ぎ込まれる現場打ちコンクリートとの一体化を助けるようＶ字形チャネルを更に備えるのが良い。輸送ケーブル７６も又、プレキャストコンクリート製基礎ユニット１６を持ち上げて配置するためにベース１８内に埋め込まれるのが良い。
【００４５】
幾つかの実施形態では、例えば高クリアランス据え付けでは、ペデスタル型の基礎が望ましい場合がある。図１４〜図１６を参照すると、ペデスタル型具体化例が示されている。この具体化例では、ベース１８及び側壁２０は、一体部品としてプレキャスティングされている。端フーチング８０を含むペデスタル構造物２４′も又、一体部品としてプレキャスティングされており、その頂面にＵ字形凹部８２を備えている。次に、ベース１８及び側壁２０により形成されたＵ字形部材及びペデスタル２４′を別々のプレキャストコンポーネントとして作業現場に輸送する。作業現場では、Ｕ字形部材を配置し、次にペデスタル２４′をチャネル内に位置決めし、そしてコンクリート８４の現場注ぎ込みを利用して２つのコンポーネントを互いに一体化するのが良い。図１４で理解されるように、ペデスタルの中央広がり部は、注ぎ込まれたコンクリートがペデスタルの一方の側から他方の側に流れることができるようにする隆起した横方向底部チャネル８６を備えるのが良い。一体化後、次に、橋梁ユニットを底端部がチャネル８０内に位置した状態でペデスタル２４′上に載せるのが良く、そしてコンクリートグラウト８８も又チャネル８２内に施して基礎と橋梁ユニットとの間の一体化レベルを提供するのが良い。幾つかの具体化例では、ペデスタル２４′は、Ｕ字形チャネルの幅に沿って心出しされ又は実質的に心出しされるのが良く、他の具体化例では、ペデスタル２４′は、プレキャストコンクリート製基礎ユニットの外側壁又は内側壁に向かってずらされるのが良い。
【００４６】
図１７及び図１８は、２つの組をなす橋梁ユニット１４が２つの経路５２を形成するよう３つの基礎構造物１２と組み合わせて利用される橋梁構造物の結合の際に用いられるペデスタル構造を示している。図示のように、中央基礎構造物１２のペデスタル２４′は、外側の基礎構造物のペデスタル２４′よりも幅が広く形成され、それにより２つの橋梁ユニット１４の底端部を支持することができる幅の広い上側チャネル８２′が構成されている。
【００４７】
上述したように、本明細書において説明する基礎システムを用いると、多様な橋梁構造物を支持することができる。図２１及び図２２は、基礎が構造的金属プレートアーチ構造物９０を支持した具体化例を示している。この構成例では、中央支持体２４は、現場打ちコンクリートの予想注ぎ込みレベル４６の上方に持ち上げられ、これら中央支持体は、Ｕ字形山形鋼９４を受け入れるチャネル９２を有し、これら中央支持体の両方は、金属板アーチ９０の底端部分９６を受け入れるよう構成されるように垂線から角度をなすと共に／ずらされている。山形鋼９４は、プレキャスティングの際、チャネル９２内に埋め込まれるのが良い。
【００４８】
図２３は、基礎構造物１２が複合アーチを支持するよう利用されている実施形態を示している。この構成例では、各支持体２４は、複合管１００の底端部を受け入れている。全ての管がいったん定位置に配置されると、現場コンクリート注ぎ込みを実施して管の底端部を基礎構造物のコンクリート中に埋め込む。次に、波形敷板を複合管上に配置してこれによって支持するのが良く、そして複合管にコンクリート（例えば、自動圧密膨張コンクリート）を充填する。また、コンクリート層を更に波形敷板上に配置するのが良い。
【００４９】
図２４及び図２５は、基礎ユニット１６が単一プレキャストユニットとして橋梁ユニット１４と一体に形成された実施形態を示している。現場注ぎ込み及び関連の補強により、組み合わせユニットを配置した後に基礎構造物が完成する。
【００５０】
図２６〜図３１を参照すると、別の実施形態では、プレキャストコンクリート製基礎ユニット１６０は、互いに間隔を置いた側壁１５０が一連のクロスメンバ支持体１５２によって相互に連結されたラダー（梯子）形態を備えている。基礎ユニット１６０には底壁がなく、その結果、開放領域１５４がクロスメンバ１５２相互間の場所でユニットの頂部から底部まで垂直に延びている。各クロスメンバ支持体１５２は、橋梁ユニットの底端部を受け入れる凹部１５６を備えた上面を有している。凹部１５６は、図示のように基礎ユニットの幅に沿って心出しされても良く或いは中央箇所から側方にずらされても良い。幾つかの場合、凹部１５６は、構造物全体の内方側部寄りに位置決めされるが、変形例が採用可能である。クロスメンバ支持体１５２の間隔は、好ましくは、橋梁ユニットの深さに合致し、その結果、並置された橋梁ユニットの隣り合う端面は、図２９に示されているように凹部１５６の付近で互いに当接し、図２９では、橋梁ユニット１４は、想像線で示されている。各クロスメンバ支持体１５２は、軽量化の目的で設けられると共にコンクリートが１つの開放領域又はセル１５４から次の開放領域又はセルに流れることができるようにする１つ又は２つ以上の大きな貫通開口部を更に有している。各クロスメンバは、多数の小さな軸方向に延びる補強材用開口部１６２を更に有している。図示の実施形態では、水平に間隔を置いて設けられた開口部の上側の列１６４及び下側の列１６６が示されているが、変形例が採用可能である。軸方向に延びる補強ロッドを据え付け現場への基礎ユニット１６０の配送に先立ってかかる開口部に通すのが良いが、所望ならば現場で据え付けても良い。これら開口部１６２は又、１つのユニットから次のユニットまで延びていて、現場打ちコンクリート中に埋め込まれるようになる補強材を介して基礎ユニット１６０を長い基礎構造物が得られるよう端と端を突き合わせて結合するために用いられる。
【００５１】
図２８に示されているように、側壁１５０は、補強断面材１６８を有し、この補強断面材は、垂直に延びる部分１７０及び基礎ユニット１６０の下方部分内の開放セル領域１５４中に側方に延びる部分１７２を有している。次に、据え付け現場では又は幾つかの場合、現場への配送に先立って、２つの側壁の互いに反対側の部分１７２を側方補強断面材によって互いに結合するのが良い。
【００５２】
本発明の基礎ユニット１６０は、一実施形態では、側壁とクロスメンバの両方を作るために単一の注ぎ込み技術を利用して製造されるのが良い。別の実施形態では、補強材１６８を備えた各側壁部分１５０は、それぞれの注ぎ込みから別々の部品として形成されても良い。次に、いったん硬化すると、側壁部分は、所望の側方間隔を置いて配置され、適当な型枠を側壁（及び側壁の端部のところに）相互間に追加してクロスメンバ支持体１５２を別の注ぎ込みから作るのが良い。この点に関し、補強部分１７２は又、クロスメンバを側壁に結合するためにクロスメンバ中に延びると共にこの中に延びる。さらに、図２７に示されているように、上側側方補強部分１７４も又、互いに反対側の部分１７２及び互いに反対側の部分１７４を互いに結合する側方補強部品１７６と共にクロスメンバの付近に設けるのが良い。
【００５３】
図２９を参照すると、プレキャストコンクリート製基礎ユニット１６０が作業現場に配送されて地面（例えば、締め固められた土又は石）上に据え付けられており、地面は、ユニットを受け入れるよう整備されている。プレキャストコンクリート製基礎ユニット１６０を配置した後で橋梁ユニット１４を配置する。セル１５４は、橋梁ユニット１４の配置中、開放状態であると共に未充填状態のままである（現場へのユニット１６０の配送前か配送後かのいずれかに配置される場合のある補強材を除き）。図３０及び図３１で理解されるように、橋梁ユニット１４の水平調節及び適正な位置合わせのためにシムを用いるのが良い。橋梁ユニット１４をいったん配置すると、次に、セル１５４に現場注ぎ込みコンクリートを充填するのが良い。流し込みは、代表的には、基礎ユニット１６０の上面高さ位置１８０まで行われ、その結果、コンクリート内への橋梁ユニット側壁の底部分の捕捉及び埋め込みが行われる。幾つかの実施形態では、橋梁ユニット側壁の底面は、垂直補強材がユニットの底部から延びることができるよう適当な補強材延長部又は補強材用開口部を備えるのが良い。
【００５４】
基礎ユニット１６０は又、袖壁基礎及び／ペデスタルを含む上述の他の基礎ユニット実施形態の種々の特徴及び観点と組み合わせて使用できる。例えば、図３２に示されているように、プレキャストコンクリート製基礎ユニット１６０は、プレキャストペデスタルユニット１９０と組み合わせた状態で示されている。２つのユニットは、別々に形成されて作業現場に配送される。最初に、プレキャストコンクリート製基礎ユニット１６０を配置し、次にプレキャストペデスタルを基礎ユニット内に配置する。図示のように、基礎ユニットクロスメンバ１５２は、凹部１９２を有し、ペデスタルユニットは、凹部１９２の付近でクロスメンバに被さる上方に延びる切欠き又はスロット１９４を有している。埋め込み状態の垂直部分と突出状態の側方部分の両方を備えたペデスタルの例示の補強材１９６が示されており、かかる補強材は、ペデスタルの軸方向長さに沿って延びても良く又は分布して配置されても良いことは言うまでもない。ペデスタルを図示のように基礎ユニット内に配置した後、次に、現場コンクリート注ぎ込みを実施して一体構造物を作る。図１４の実施形態の場合と同様、ペデスタルユニットの中央広がり部は、注ぎ込まれたコンクリートがペデスタルの一方の側部から他方の側部まで流れることができるようにする隆起した横方向底部チャネルを備えるのが良い。システムは、いったん硬化すると、橋梁ユニットを受け入れる準備ができている。ペデスタル１９０は、橋梁ユニットの底部を受け入れる上側凹部を有している。
【００５５】
次に、図３３〜図３５を参照すると、ラダー形態を備えたプレキャストコンクリート製基礎ユニット２００を有する別の実施形態が示されている。これら基礎ユニットは、間にチャネル２０５を形成する互いに間隔を置くと共に細長い直立壁２０２，２０４及び壁２０２，２０４を互いに連結するようチャネルを横切って横方向に延びるクロスメンバ支持体２０６を有している。基礎ユニット２０２には底壁がなく、その結果、開放領域又はセル２０８がクロスメンバ２０６相互間の場所でユニットの頂部から底部まで垂直に延びている。各クロスメンバ支持体２０６は、橋梁ユニット２１４の一方の側の底部分を受け入れる凹部２１０を備えた上面を有している。図示の実施形態では、橋梁ユニット２１４の側壁部分は、これらのそれぞれの底部分から組み合わせ型プレキャストコンクリート・現場打ちコンクリート製基礎構造物から上方に遠ざかって橋梁ユニットの反対側のところに位置する他の組み合わせ型プレキャストコンクリート・現場打ちコンクリート製基礎構造物に向かって内方に延びている。凹部２１０は、チャネル２０５内から内側直立壁部材２０４、即ち橋梁システムの中央軸線２１２の最も近くに位置決めされた直立壁部材に向かって延びている。かくして、図３３で最も良く理解されるように、直立壁部材２０２は、直立壁部材２０４よりも高い高さを有している。
【００５６】
クロスメンバ支持体２０８の間隔は、好ましくは、橋梁ユニット２１４の深さに合致し、その結果、並置された橋梁ユニットの隣り合う端面は、凹部２１０の付近で互いに当接している。各クロスメンバ支持体２０８は、軽量化の目的で設けられると共にコンクリートが１つの開放領域又はセル２０８から次の開放領域又はセルに流れることができるようにする１つ又は２つ以上の大きな貫通開口部２１６を更に有している。各クロスメンバは、多数の軸方向に延びる補強材用開口部２１８を更に有している。図示の実施形態では、水平に間隔を置いて設けられた開口部２１８の上側の列２２０及び下側の列２２２が示されているが、変形例が採用可能である。軸方向に延びる補強材を据え付け現場への基礎ユニット２００の配送に先立ってかかる開口部に通すのが良いが、所望ならば現場で据え付けても良い。これら開口部２１８は又、基礎ユニット２００を長い基礎構造物が得られるよう端と端を突き合わせて結合するために用いられる。この点に関し、隣りの基礎ユニットに当接するようになった基礎ユニット２００の端部は、直立壁部材２０２，２０４相互間では実質的に開いているのが良く、その結果、互いに当接する端部は、現場打ちコンクリートが注ぎ込まれる連続セル２２４を形成している。しかしながら、ひと続きの互いに当接したユニット中の端に位置する基礎ユニット２００の遠くの端部は、代表的には、図示のように端に配置されたクロスメンバ２０６を有するのが良い。
【００５７】
壁２０２，２０４は、垂直に延びる部分２２８及び基礎ユニット２００の下方部分の開放セル領域２０８中に側方に延びる部分２３０を備えた補強材２２６を有している。据え付け現場では、或いは、幾つかの場合、現場への配送に先立って、２つの側壁の互いに反対側の部分２３０を次に側方補強断面材２３２によって互いに結合するのが良い。
本発明の基礎ユニット２００は、上述したようにユニット１６０と同様な仕方で製造可能であり、クロスメンバ支持体２０６も又、クロスメンバ支持体１５２の補強材と同様な補強材を有している。
【００５８】
プレキャストコンクリート製基礎ユニット２００が作業現場に配送されて地面（例えば、締め固められた土又は石）上に据え付けられており、地面は、ユニットを受け入れるよう整備されている。プレキャストコンクリート製基礎ユニットを配置した後で橋梁ユニット２１４を配置する。セル２０８は、橋梁ユニット２１４の配置中、開放状態であると共に未充填状態のままである（現場へのユニット２００の配送前か配送後かのいずれかに配置される場合のある補強材を除き）。橋梁ユニット２１４の水平調節及び適正な位置合わせのためにシムを用いるのが良い。橋梁ユニット２１４をいったん配置すると、次に、セル２０８に現場注ぎ込みコンクリートを充填するのが良い。流し込みは、代表的には、基礎ユニット２００の上面高さ位置まで行われる。この点に関し、図３５を参照すると、基礎ユニット２００のそれぞれの側部の高さの差に起因して、橋梁ユニットの底部分２４０は、底部分２４０の外側部のところで現場打ちコンクリート２４２内に捕捉されて埋め込まれる。現場注ぎ込み後、橋梁ユニットの底部分２４０の外側に位置する現場打ちコンクリートは、底部分の外側部を埋め込むよう底部分２４０の底面よりも高く、橋梁ユニットの底部分の内側部に位置する現場打ちコンクリートは、底部分２４０の底面と実質的に面一をなす。このように、橋梁ユニットの下の流れ領域は、橋梁ユニットの底部分２４０の埋め込みによる悪影響を受けない。
【００５９】
基礎ユニット２００は又、袖壁基礎及び／ペデスタルを含む上述の他の基礎ユニット実施形態の種々の特徴及び観点と組み合わせて使用できる。例えば、プレキャストコンクリート製基礎ユニット２００をペデスタル構造物と組み合わせて用いることができる。さらに、基礎ユニット１６０，２００は両方共、杭基礎システムと関連して使用可能に改造されている。即ち、支持杭を杭の上端部が開放セル領域中に突き出た状態でユニットの意図した使用場所（ユニットの配置前、配置後）で地面中に打ち込むのが良い。現場注ぎ込みを実施すると、杭は、現場打ちコンクリート内に埋め込まれた状態になり、組み合わせ型プレキャストコンクリート・現場打ちコンクリート基礎構造体が杭に構造的に結合される。
【００６０】
次に図３９〜図４１を参照すると、プレキャストコンクリート製基礎ユニット１６０及びプレキャストペデスタルユニット２５０を利用した基礎ユニット構造物が杭２５２と一緒に示されている。この実施形態では、ペデスタルユニット２５０は、ペデスタルに対する側方支持作用を提供するためにクロスメンバ支持体１５２の凹部１５６内に嵌め込まれた中央底部分２５４及びクロスメンバ支持体１５２の上面上に、図示の実施形態では、細長い直立側壁１５０の上面上に部分的に載った一体形側部支持体２５６を有する。図示の実施形態では、側部支持体２５６は、ペデスタルユニット２５０の端部のところにのみ設けられているが、側部支持体は、ペデスタルユニットの長さに沿うどこか他の場所に設けられても良い。他の実施形態について上述したように、使用場所のところに且つユニット１６０のセル１５４内に注ぎ込まれた現場打ちコンクリートは、ペデスタルユニット２５０の底部を埋め込み、プレキャストペデスタルユニット２５０をプレキャスト基礎ユニット１６０と一体化して一体形基礎構造物を形成する。この点に関し、図４１に最も良く示されているように、補強材２６０は、ペデスタルユニット２５０内に延びる部分２６２及びペデスタルユニットの底部から現場打ちコンクリート中に延びる部分２６４を有する補強材２６０が一体化を助ける。現場打ちコンクリートは又、プレキャストコンクリート製基礎ユニット１６０を杭２５２に結合する。
【００６１】
上述のプレキャストコンクリート製基礎ユニット１６，１６０，２００の各実施形態の場合、注目されるように、かかる基礎ユニットは、間にチャネルを構成するよう互いに間隔を置いた細長い直立壁部材及びチャネル内に配置された多数の直立支持体を有する。プレキャストコンクリート製基礎ユニット１６の図示の実施形態では、これら基礎ユニットは、底壁を有し、支持体は、底壁から上方に延びている。基礎ユニット１６０，２００の図示の実施形態では、これら基礎ユニットは、底壁を備えておらず、支持体は、細長い直立壁部材相互間に延びてこれらを連結している。全ての実施形態の場合、１つのプレキャストコンクリート製基礎ユニットの多数の支持体（即ち、橋梁構造物の一方の側を支持する）は、最終使用現場に据え付けられると、代表的には、別の実質的に平行なプレキャストコンクリート製基礎ユニットの多数の支持体（例えば、橋梁構造物の反対側を支持する）と実質的に整列すべきである。細長い直立壁部材は、互いに同一の高さを有しても良く（例えば、ユニット１６，１６０の図示の実施形態の場合のように）、或いは、細長い直立壁部材は、互いに異なる高さを有しても良い（例えば、ユニット２００の図示の実施形態の場合のように）。支持体（存在する場合）の頂部凹部は、全体がユニットのチャネル内に位置していても良く（例えば、ユニット１６の図示の実施形態のうちの幾つか及びユニット１６０の図示の実施形態の場合のように）、或いは、凹部は、チャネルから細長い壁のうちの１つまで延びていても良い（例えば、ユニット２００の図示の実施形態に示されているように）。
【００６２】
説明した実施形態によって反映されているように、プレキャストコンクリート製基礎ユニットの支持体は、幾つかの場合によっては凹部を有しても良く、場合によっては凹部を有していなくても良い。さらに、他の実施形態は、支持体に取り付けられたチャネル部材を利用しても良い。例えば、図３６〜図３８を参照すると、チャネル部材２５０ａ，２５０ｂ，２５０ｃが取り付けられた支持体２４，１５２，２０６の実施形態が示されており、チャネル部材は、橋梁ユニットの底部分２６０ａ，２６０ｂ，２６０ｃを受け入れている。チャネル部材は、任意適当な取り付け構造体２５２ａ，２５２ｂ，２５２ｃ（例えば、ボルト又は他のアンカー）を用いて支持体に取り付け可能である。他の実施形態では、チャネル部材自体がプレキャストコンクリート中に部分的に埋め込まれても良く、或いは、建築用接着剤によって固定されても良い。図示のように、チャネル部材は、種々の形状（例えば、Ｕ字形、Ｌ字形又は不規則な形状）を取ることができる。チャネル部材は、代表的には、金属板構成のものであるのが良い（例えば、Ｕチャネル又はＬチャネル）が、他の材料を使用することができる。チャネル部材２５０ａ，２５０ｂ，２５０ｃの正確な材料又は形態とは無関係に、チャネル部材は、上述した凹部と同様な仕方で橋梁ユニットの底部分を受け入れて支持するよう働く。凹部とチャネル部材の両方は、橋梁ユニットの底部分のための「受け入れチャネル」の例である。シムも又受け入れチャネルと組み合わせて用いることができる（例えば、受け入れチャネルと橋梁ユニット側の底面との間に）。
【００６３】
プレキャストコンクリート製袖壁基礎ユニット５４が基礎ユニット１６，１６０，２００と組み合わせて用いられる場合、埋め込み状態の補強材は、代表的には、剛性の一体形構造物を提供するよう袖壁基礎ユニット５４を基礎ユニット１６，１６０，２００にロックするために使用されるのが良い。現場打ちコンクリートは、補強材の埋め込みの少なくとも一部を提供する。幾つかの実施例では、現場打ちコンクリート埋め込みは、基礎ユニット１６，１６０，２００のチャネル内に注ぎ込まれたコンクリート内であるのが良く、他の実施例では、現場打ちコンクリート埋め込みは、袖壁基礎ユニット５６の端チャネル内であっても良い。いずれの場合においても、埋め込みの一部は、プレキャストコンクリートの一部内に埋め込まれるのが良く、その後、現場打ちコンクリート内の最終の埋め込みが達成される。例えば、一具体化例では、補強材の第１の部分は、プレキャストコンクリート内に埋め込まれ、かかる第１の部分は、コンクリートの硬化後、第２の補強材部分が螺着される表面露出／接近可能な雌ねじ付きソケット端部を有し、その結果、第１の部分が埋め込まれ、第２の部分は、当初突き出る。別の実施例では、補強材の連続一体部品がプレキャストコンクリート内に埋め込まれた一部分及びプレキャストコンクリートから突き出た一部分を有する。
【００６４】
本明細書において説明した組み合わせ型プレキャストコンクリート・現場打ちコンクリート型基礎構造物は、事実上任意形式の橋梁構造物を支持するよう利用できる。さらに、他形式の構造物も又支持できる。基礎配置と関連した現場における時間及び出費が減少する（例えば、型配置及び補強材配置の大部分の必要性がなくなる）。
【００６５】
明確に理解されるべきこととして、上述の説明は、説明のためであると共に例示であるに過ぎず、本発明を限定するものと見なされてはならず、変更及び改造が可能である。例えば、本発明の基礎システム及び方法は、他形式の用途、例えばパイルキャップ又は他の深い基礎のためのキャップに合わせて改造できる。したがって、他の実施形態が想定され、又、本願に開示された本発明の範囲から逸脱することなく改造及び変更を行うことができる。
【図１】
2014520981.tif 000003
【図２】
2014520981.tif 000004
【図３Ａ】
2014520981.tif 000005
【図３Ｂ】
2014520981.tif 000006
【図４】
2014520981.tif 000007
【図５】
2014520981.tif 000008
【図６】
2014520981.tif 000009
【図７】
2014520981.tif 000010
【図８】
2014520981.tif 000011
【図９】
2014520981.tif 000012
【図１０】
2014520981.tif 000013
【図１１】
2014520981.tif 000014
【図１２】
2014520981.tif 000015
【図１３】
2014520981.tif 000016
【図１４】
2014520981.tif 000017
【図１５】
2014520981.tif 000018
【図１６】
2014520981.tif 000019
【図１７】
2014520981.tif 000020
【図１８】
2014520981.tif 000021
【図１９】
2014520981.tif 000022
【図２０】
2014520981.tif 000023
【図２１】
2014520981.tif 000024
【図２２】
2014520981.tif 000025
【図２３】
2014520981.tif 000026
【図２４】
2014520981.tif 000027
【図２５】
2014520981.tif 000028
【図２６】
2014520981.tif 000029
【図２７】
2014520981.tif 000030
【図２８】
2014520981.tif 000031
【図２９】
2014520981.tif 000032
【図３０】
2014520981.tif 000033
【図３１】
2014520981.tif 000034
【図３２】
2014520981.tif 000035
【図３３】
2014520981.tif 000036
【図３４】
2014520981.tif 000037
【図３５】
2014520981.tif 000038
【図３６】
2014520981.tif 000039
【図３７】
2014520981.tif 000040
【図３８】
2014520981.tif 000041
【図３９】
2014520981.tif 000042
【図４０】
2014520981.tif 000043
【図４１】
2014520981.tif 000044
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
橋梁システムであって、
整備済みの地面上に設置された第１の組み合わせ型プレキャストコンクリート・現場打ちコンクリート製の基礎構造物を含み、
前記第１の組み合わせ型プレキャストコンクリート・現場打ちコンクリート製基礎構造物は、
内側の細長い直立壁部材、前記内側の細長い直立壁部材から間隔を置いて配置されていて、前記内側の細長い直立壁部材との間にチャネルを構成する外側の細長い直立壁部材、及び、前記チャネル内に配置された多数の直立支持体を有する第１のプレキャストコンクリート製基礎ユニットと、
前記第１のプレキャストコンクリート製基礎ユニットの前記チャネル内の現場打ちコンクリートとを含み、前記現場打ちコンクリートは、前記現場打ちコンクリートと前記内側の細長い直立壁部材の両方内に埋め込まれた補強材及び前記現場打ちコンクリートと前記外側の細長い直立壁部材の両方内に埋め込まれた補強材によって前記内側及び前記外側の細長い直立壁部材の各々に結合され、
前記第１のプレキャストコンクリート製基礎ユニットの前記内側の細長い直立壁部材、前記外側の細長い直立壁部材、及び前記多数の直立支持体の各々の底部は、前記整備済みの地面上に載り、
整備済みの地面上に設置されると共に前記第１の組み合わせ型プレキャストコンクリート・現場打ちコンクリート製基礎構造物から間隔を置いて配置されていて、前記第１の組み合わせ型プレキャストコンクリート・現場打ちコンクリート製基礎構造物に実質的に平行に延びる第２の組み合わせ型プレキャストコンクリート・現場打ちコンクリート製基礎構造物を含み、
前記第２の組み合わせ型プレキャストコンクリート・現場打ちコンクリート製基礎構造物は、
内側の細長い直立壁部材、前記内側の細長い直立壁部材から間隔を置いて設けられていて、前記内側の細長い直立壁部材との間にチャネルを構成する外側の細長い直立壁部材、及び、前記チャネル内に配置された多数の直立支持体を有する第２のプレキャストコンクリート製基礎ユニットと、
前記第２のプレキャストコンクリート製基礎ユニットの前記チャネル内の現場打ちコンクリートとを含み、前記現場打ちコンクリートは、前記現場打ちコンクリートと前記第２のプレキャストコンクリート製基礎ユニットの前記内側の細長い直立壁部材の両方内に埋め込まれた補強材及び前記現場打ちコンクリートと前記第２のプレキャストコンクリート製基礎ユニットの前記外側の細長い直立壁部材の両方内に埋め込まれた補強材によって前記第２のプレキャストコンクリート製基礎ユニットの前記内側及び前記外側の細長い直立壁部材の各々に結合され、
前記第２のプレキャストコンクリート製基礎ユニットの前記内側の細長い直立壁部材、前記外側の細長い直立壁部材及び前記多数の直立支持体の各々の底部は、前記整備済みの地面上に載り、
多数の橋梁ユニットを含み、前記多数の橋梁ユニットの各々は、第１の底部分及び前記第１の底部分から間隔を置いて設けられた第２の底部分を有し、前記第１の底部分は、前記第１の組み合わせ型プレキャストコンクリート・現場打ちコンクリート製基礎構造物によって支持されると共に前記第１の組み合わせ型プレキャストコンクリート・現場打ちコンクリート製基礎構造物の前記現場打ちコンクリート内に少なくとも部分的に埋め込まれており、前記第２の底部分は、前記第２の組み合わせ型プレキャストコンクリート・現場打ちコンクリート製基礎構造物によって支持されると共に前記第２の組み合わせ型プレキャストコンクリート・現場打ちコンクリート製基礎構造物の前記現場打ちコンクリート内に少なくとも部分的に埋め込まれている、橋梁システム。
【請求項２】
前記第１のプレキャストコンクリート製基礎ユニットの前記多数の支持体は、前記第２のプレキャストコンクリート製基礎ユニットの前記多数の支持体と実質的に整列している、請求項１記載の橋梁システム。
【請求項３】
前記第１のプレキャストコンクリート製基礎ユニットの前記多数の支持体の各々は、前記第１のプレキャストコンクリート製基礎ユニットの前記チャネル内に多数の互いに間隔を置いたセルを構成するよう前記第１のプレキャストコンクリート製基礎ユニットの前記内側の細長い直立壁部材と前記外側の細長い直立壁部材との間で側方に延び、前記第１の組み合わせ型プレキャストコンクリート・現場打ちコンクリート製基礎構造物の前記現場打ちコンクリートは、前記第１のプレキャストコンクリート製基礎ユニットの各セル内に配置され、
前記第２のプレキャストコンクリート製基礎ユニットの前記多数の支持体の各々は、前記第２のプレキャストコンクリート製基礎ユニットの前記チャネル内に多数の互いに間隔を置いたセルを構成するよう前記第２のプレキャストコンクリート製基礎ユニットの前記内側の細長い直立壁部材と前記外側の細長い直立壁部材との間で側方に延び、前記第２の組み合わせ型プレキャストコンクリート・現場打ちコンクリート製基礎構造物の前記現場打ちコンクリートは、前記第２のプレキャストコンクリート製基礎ユニットの各セル内に配置されている、請求項１記載の橋梁システム。
【請求項４】
前記第１のプレキャストコンクリート製基礎ユニットの前記多数のセルの各々は、頂部と底部の両方が開いており、前記第１の組み合わせ型プレキャストコンクリート・現場打ちコンクリート製基礎構造物の前記現場打ちコンクリートは、各セルを頂部から底部まで実質的に閉じており、
前記第２のプレキャストコンクリート製基礎ユニットの前記多数のセルの各々は、頂部と底部の両方が開いており、前記第２の組み合わせ型プレキャストコンクリート・現場打ちコンクリート製基礎構造物の前記現場打ちコンクリートは、各セルを頂部から底部まで実質的に閉じている、請求項３記載の橋梁システム。
【請求項５】
受け入れチャネルが前記第１のプレキャストコンクリート製基礎ユニットの前記多数の支持体の各々の上に配置され、前記受け入れユニットは、前記多数の橋梁ユニットのうちの少なくとも１つの前記第１の底部分を受け入れてこれを支持し、
受け入れチャネルが前記第２のプレキャストコンクリート製基礎ユニットの前記多数の支持体の各々の上に配置され、前記受け入れユニットは、前記多数の橋梁ユニットのうちの少なくとも１つの前記第２の底部分を受け入れてこれを支持する、請求項４記載の橋梁システム。
【請求項６】
前記第１のプレキャストコンクリート製基礎ユニットの前記多数の支持体の各々の前記受け入れチャネルは、前記多数の橋梁ユニットのうちの少なくとも２つの前記第１の底部分を受け入れてこれを支持し、
前記第２のプレキャストコンクリート製基礎ユニットの前記多数の支持体の各々の前記受け入れチャネルは、前記多数の橋梁ユニットのうちの少なくとも２つの前記第１の底部分を受け入れてこれを支持する、請求項５記載の橋梁システム。
【請求項７】
前記第１のプレキャストコンクリート製基礎ユニットの前記多数の支持体の各々の前記受け入れチャネルは、前記第１のプレキャストコンクリート製基礎ユニットの前記チャネル内から前記第１のプレキャストコンクリート製基礎ユニットの前記内側の細長い直立壁部材まで延び、
前記第２のプレキャストコンクリート製基礎ユニットの前記多数の支持体の各々の前記受け入れチャネルは、前記第２のプレキャストコンクリート製基礎ユニットの前記チャネル内から前記第２のプレキャストコンクリート製基礎ユニットの前記内側の細長い直立壁部材まで延びている、請求項５記載の橋梁システム。
【請求項８】
前記多数の橋梁ユニットの各々は、（ｉ）そのそれぞれの第１の底部分から前記第１の組み合わせ型プレキャストコンクリート・現場打ちコンクリート製基礎構造物より上方に遠ざかり、そして（ｉｉ）前記第２の組み合わせ型プレキャストコンクリート・現場打ちコンクリート製基礎構造物に向かって内方に延びる第１の壁部分を有し、
前記多数の橋梁ユニットの各々は、（ｉ）そのそれぞれの第２の底部分から前記第２の組み合わせ型プレキャストコンクリート・現場打ちコンクリート製基礎構造物より上方に遠ざかり、そして（ｉｉ）前記第１の組み合わせ型プレキャストコンクリート・現場打ちコンクリート製基礎構造物に向かって内方に延びる第２の壁部分を有する、請求項７記載の橋梁システム。
【請求項９】
前記第１の組み合わせ型プレキャストコンクリート・現場打ちコンクリート製基礎構造物の前記現場打ちコンクリートは、各橋梁ユニットの前記第１の底部分の外側部のところの方が各橋梁ユニットの前記第１の底部分の内側部のところよりも高い高さを有し、
前記第２の組み合わせ型プレキャストコンクリート・現場打ちコンクリート製基礎構造物の前記現場打ちコンクリートは、各橋梁ユニットの前記第２の底部分の外側部のところの方が各橋梁ユニットの前記第２の底部分の内側部のところよりも高い高さを有する、請求項７記載の橋梁システム。
【請求項１０】
前記第１のプレキャストコンクリート製基礎ユニットの前記多数の支持体の各々の前記受け入れチャネルは、該受け入れチャネルに形成された凹部又は該受け入れチャネルに取り付けられたチャネル部材のうちの一方であり、前記第２のプレキャストコンクリート製基礎ユニットの前記多数の支持体の各々の前記受け入れチャネルは、該受け入れチャネルに形成された凹部又は該受け入れチャネルに取り付けられたチャネル部材のうちの一方である、請求項５記載の橋梁システム。
【請求項１１】
各橋梁ユニットの前記第１の底部分の外側部のところの前記現場打ちコンクリートは、前記第１の底部分の外側部を埋め込むよう前記第１の底部分の底面よりも高く、各橋梁ユニットの前記第１の底部分の前記内側部のところの前記現場打ちコンクリートは、前記第１の底部分の前記底面と実質的に面一をなし、
各橋梁ユニットの前記第２の底部分の外側部のところの前記現場打ちコンクリートは、前記第２の底部分の外側部を埋め込むよう前記第２の底部分の底面よりも高く、各橋梁ユニットの前記第２の底部分の前記内側部のところの前記現場打ちコンクリートは、前記第２の底部分の前記底面と実質的に面一をなしている、請求項９記載の橋梁システム。
【請求項１２】
前記第１のプレキャストコンクリート製基礎ユニットの前記多数の支持体の各々の前記受け入れチャネルは、前記第１のプレキャストコンクリート製基礎ユニットの前記チャネル内に完全に納められ、
前記第２のプレキャストコンクリート製基礎ユニットの前記多数の支持体の各々の前記受け入れチャネルは、前記第２のプレキャストコンクリート製基礎ユニットの前記チャネル内に完全に納められている、請求項５記載の橋梁システム。
【請求項１３】
前記第１のプレキャストコンクリート製基礎ユニットの前記多数の支持体のうちの少なくとも幾つかは、前記第１のプレキャストコンクリート製基礎ユニットのセルからセルまで延びていて、現場打ちコンクリートが注ぎ込み中、１つのセルから前記支持体を通って別のセルに流れることができるようにする少なくとも１つの流れ開口部を有し、該流れ開口部内には現場打ちコンクリートが納められ、該流れ開口部は、前記第１のプレキャストコンクリート製基礎ユニットの前記直立支持体の頂部と前記底部の両方から間隔を置いて位置し、
前記第２のプレキャストコンクリート製基礎ユニットの前記多数の支持体のうちの少なくとも幾つかは、前記第２のプレキャストコンクリート製基礎ユニットのセルからセルまで延びていて、現場打ちコンクリートが注ぎ込み中、１つのセルから前記支持体を通って別のセルに流れることができるようにする少なくとも１つの流れ開口部を有し、該流れ開口部内には現場打ちコンクリートが納められ、該流れ開口部は、前記第２のプレキャストコンクリート製基礎ユニットの前記直立支持体の頂部と前記底部の両方から間隔を置いて位置している、請求項３記載の橋梁システム。
【請求項１４】
前記第１のプレキャストコンクリート製基礎ユニットの前記多数の支持体のうちの少なくとも幾つかは、前記第１のプレキャストコンクリート製基礎ユニットのセルからセルまで延びる多数の補強材用開口部を有し、各補強材用開口部は、前記流れ開口部よりも小さく、補強材が前記補強材用開口部の各々を通ってセルからセルまで延び、前記補強材は、前記第１の組み合わせ型プレキャストコンクリート・現場打ちコンクリート製基礎構造物の前記現場打ちコンクリート内に埋め込まれた端部を有し、該補強材用開口部は、前記第１のプレキャストコンクリート製基礎ユニットの前記直立支持体の前記頂部と前記底部の両方から間隔を置いて位置し、
前記第２のプレキャストコンクリート製基礎ユニットの前記多数の支持体のうちの少なくとも幾つかは、前記第２のプレキャストコンクリート製基礎ユニットのセルからセルまで延びる多数の補強材用開口部を有し、各補強材用開口部は、前記流れ開口部よりも小さく、補強材が前記補強材用開口部の各々を通ってセルからセルまで延び、前記補強材は、前記第２の組み合わせ型プレキャストコンクリート・現場打ちコンクリート製基礎構造物の前記現場打ちコンクリート内に埋め込まれた端部を有し、該補強材用開口部は、前記第２のプレキャストコンクリート製基礎ユニットの前記直立支持体の前記頂部と前記底部の両方から間隔を置いて位置している、請求項１３記載の橋梁システム。
【請求項１５】
前記第１の組み合わせ型プレキャストコンクリート・現場打ちコンクリート製基礎構造物は、
前記第１のプレキャストコンクリート製基礎ユニットの一端部のところに第１のプレキャスト袖壁基礎ユニットを更に含み、補強材が前記第１のプレキャスト袖壁基礎ユニットから前記第１のプレキャストコンクリート製基礎ユニット中に延び、前記補強材は、前記第１の組み合わせ型プレキャストコンクリート・現場打ちコンクリート製基礎構造物の前記現場打ちコンクリート内に埋め込まれ、
前記第２の組み合わせ型プレキャストコンクリート・現場打ちコンクリート製基礎構造物は、
前記第２のプレキャストコンクリート製基礎ユニットの一端部のところに第２のプレキャスト袖壁基礎ユニットを更に含み、補強材が前記第２のプレキャスト袖壁基礎ユニットから前記第２のプレキャストコンクリート製基礎ユニット中に延び、前記補強材は、前記第２の組み合わせ型プレキャストコンクリート・現場打ちコンクリート製基礎構造物の前記現場打ちコンクリート内に埋め込まれている、請求項１記載の橋梁システム。
【請求項１６】
補強材が前記第１のプレキャスト袖壁基礎ユニットから前記第１のプレキャストコンクリート製基礎ユニットの前記チャネル中に延び、
補強材が前記第２のプレキャスト袖壁基礎ユニットから前記第２のプレキャストコンクリート製基礎ユニットの前記チャネル中に延びている、請求項１５記載の橋梁システム。
【請求項１７】
前記第１のプレキャスト袖壁基礎ユニットの底部は、前記第１のプレキャスト袖壁基礎ユニットの頂部よりも幅が広く、前記第２のプレキャスト袖壁基礎ユニットの底部は、前記第２のプレキャスト袖壁基礎ユニットの頂部よりも幅が広い、請求項１５記載の橋梁システム。
【請求項１８】
前記第１の組み合わせ型プレキャストコンクリート・現場打ちコンクリート製基礎構造物は、
前記第１のプレキャストコンクリート製基礎ユニットの一端部に当接した第３のプレキャストコンクリート製基礎ユニットを更に含み、前記第３のプレキャストコンクリート製基礎ユニットは、内側の細長い直立壁部材、前記内側の細長い直立壁部材から間隔を置いて配置されていて、前記内側の細長い直立壁部材との間にチャネルを構成する外側の細長い直立壁部材及び前記チャネル内に配置された多数の直立支持体を有し、前記第３のプレキャストコンクリート製基礎ユニットの前記内側の細長い直立壁部材、前記外側の細長い直立壁部材及び前記チャネルは、それぞれ、前記第１のプレキャストコンクリート製基礎ユニットの前記内側の細長い直立壁部材、前記外側の細長い直立壁部材及び前記チャネルと整列し、前記第１の組み合わせ型プレキャストコンクリート・現場打ちコンクリート製基礎構造物の前記現場打ちコンクリート内に埋め込まれた補強材が前記第１のプレキャストコンクリート製基礎ユニットと前記第３のプレキャストコンクリート製基礎ユニットを構造的に連結し、
前記第２の組み合わせ型プレキャストコンクリート・現場打ちコンクリート製基礎構造物は、
前記第１のプレキャストコンクリート製基礎ユニットの一端部に当接した第４のプレキャストコンクリート製基礎ユニットを更に含み、前記第４のプレキャストコンクリート製基礎ユニットは、内側の細長い直立壁部材、前記内側の細長い直立壁部材から間隔を置いて配置されていて、前記内側の細長い直立壁部材との間にチャネルを構成する外側の細長い直立壁部材及び前記チャネル内に配置された多数の直立支持体を有し、前記第４のプレキャストコンクリート製基礎ユニットの前記内側の細長い直立壁部材、前記外側の細長い直立壁部材及び前記チャネルは、それぞれ、前記第２のプレキャストコンクリート製基礎ユニットの前記内側の細長い直立壁部材、前記外側の細長い直立壁部材及び前記チャネルと整列し、前記第２の組み合わせ型プレキャストコンクリート・現場打ちコンクリート製基礎構造物の前記現場打ちコンクリート内に埋め込まれた補強材が前記第２のプレキャストコンクリート製基礎ユニットと前記第４のプレキャストコンクリート製基礎ユニットを構造的に連結している、請求項１記載の橋梁システム。
【請求項１９】
前記第３のプレキャストコンクリート製基礎ユニットの端部は、前記第１のプレキャストコンクリート基礎ユニットの端部に当接し、前記端部の各々は、互いに当接した前記端部が現場打ちコンクリートを収納する連続セルを形成するようそのそれぞれの内側の細長い直立壁部材と外側の細長い直立壁部材との間で実質的に開いており、
前記第４のプレキャストコンクリート製基礎ユニットの端部は、前記第２のプレキャストコンクリート基礎ユニットの端部に当接し、前記端部の各々は、互いに当接した前記端部が現場打ちコンクリートを収納する連続セルを形成するようそのそれぞれの内側の細長い直立壁部材と外側の細長い直立壁部材との間で実質的に開いている、請求項１８記載の橋梁システム。
【請求項２０】
前記第１のプレキャストコンクリート製基礎ユニットは、前記内側の細長い直立壁部材と前記外側の細長い直立壁部材との間で延びる底壁を有し、前記第１のプレキャストコンクリート製基礎ユニットの前記多数の支持体の各々は、前記底壁から上方に延びると共に前記内側の細長い直立壁部材と前記外側の細長い直立壁部材の両方から間隔を置いて位置し、
前記第２のプレキャストコンクリート製基礎ユニットは、前記内側の細長い直立壁部材と前記外側の細長い直立壁部材との間で延びる底壁を有し、前記第２のプレキャストコンクリート製基礎ユニットの前記多数の支持体の各々は、前記底壁から上方に延びると共に前記内側の細長い直立壁部材と前記外側の細長い直立壁部材の両方から間隔を置いて位置している、請求項１記載の橋梁システム。
【請求項２１】
組み合わせ型プレキャストコンクリート・現場打ちコンクリート製基礎構造物を建造する際に用いられるプレキャストコンクリート製基礎ユニットであって、前記プレキャストコンクリート製基礎ユニットは、
第１の細長い直立壁部材、前記第１の細長い直立壁部材から間隔を置いて位置していて、前記第１の細長い直立壁部材との間にチャネルを構成する第２の細長い直立壁部材及び前記チャネル内に配置された多数の直立支持体を有し、前記多数の支持体の各々は、（ｉ）前記チャネルの長さに沿って多数の互いに間隔を置いたセルを構成すると共に（ｉｉ）前記第１の細長い直立壁部材と前記第２の細長い直立壁部材を剛性的に連結するよう前記第１のプレキャストコンクリート製基礎ユニットの前記第１の細長い直立壁部材と前記第２の細長い直立壁部材との間で側方に延び、前記多数のセルの各々は、頂部と底部の両方が開いており、受け入れチャネルが前記多数の支持体の各々の上に配置され、前記多数の支持体のうちの少なくとも幾つかは、セルからセルまで延びていて、現場打ちコンクリートが注ぎ込み中、１つのセルから前記支持体を通って別のセルに流れることができるようにする少なくとも１つの流れ開口部を有し、該流れ開口部は、前記支持体の頂部と底部の両方から間隔を置いて位置している、プレキャストコンクリート製基礎ユニット。
【請求項２２】
前記多数の支持体の各々の前記受け入れチャネルは、前記チャネル内から前記第１の細長い直立壁部材まで側方に延びている、請求項２１記載のプレキャストコンクリート製基礎ユニット。
【請求項２３】
前記第２の細長い直立壁部材は、前記第１の細長い直立壁部材の高さよりも高い高さを有する、請求項２２記載のプレキャストコンクリート製基礎ユニット。
【請求項２４】
前記多数の支持体の各々の前記受け入れチャネルは、前記チャネル内に完全に納められている、請求項２１記載のプレキャストコンクリート製基礎ユニット。
【請求項２５】
各受け入れチャネルは、（ｉ）そのそれぞれの支持体の頂部に形成された凹部又は（ｉｉ）そのそれぞれの支持体の頂部に取り付けられたチャネル部材のうちの一方である、請求項２１記載のプレキャストコンクリート製基礎ユニット。
【請求項２６】
橋梁据え付け現場に配置された請求項２１記載のプレキャストコンクリート製基礎ユニットを組み込んだ組み合わせ型プレキャストコンクリート・現場打ちコンクリート基礎構造物であって、
前記プレキャストコンクリート製基礎ユニットの前記チャネル内に設けられた状態で前記現場打ちコンクリートと前記第１の細長い直立壁部材の両方内に埋め込まれた補強材及び前記現場打ちコンクリートと前記第２の細長い直立壁部材の両方内に埋め込まれた補強材によって前記第１及び前記第２の細長い直立壁部材の各々に結合され、前記現場打ちコンクリートは、各セルを頂部から底部まで実質的に閉じ、現場打ちコンクリートが前記支持体の流れ開口部内に納められている、組み合わせ型プレキャストコンクリート・現場打ちコンクリート製基礎構造物。
【請求項２７】
前記プレキャストコンクリート製基礎ユニットの前記多数の支持体のうちの少なくとも幾つかは、セルからセルまでの多数の補強通路を更に有し、補強材が前記補強通路を通ってセルからセルまで通ると共に前記現場打ちコンクリート内に埋め込まれている、請求項２６記載の構造物。
【請求項２８】
橋梁据え付け現場に配置された組み合わせ型プレキャストコンクリート・現場打ちコンクリート製基礎構造物であって、
内側の細長い直立壁部材、前記内側の細長い直立壁部材から間隔を置いて位置していて、前記内側の細長い直立壁部材との間にチャネルを構成する外側の細長い直立壁部材及び前記チャネル内に配置された多数の直立支持体を有するプレキャストコンクリート製基礎ユニットを含み、
前記プレキャストコンクリート製基礎ユニットとは別個に形成されると共に前記チャネル内に位置決めされていて、前記チャネルから上方に且つ前記プレキャストコンクリート製基礎ユニットの上方に延びる細長いプレキャストコンクリート製ペデスタルユニットを含み、前記細長いプレキャストコンクリート製ペデスタルユニットの頂面は、該頂面に設けられた凹部又はチャネル部材を有し、
前記チャネル内に納められた現場打ちコンクリートを含み、前記現場打ちコンクリートは、（ｉ）前記現場打ちコンクリートと前記内側の細長い直立壁部材の両方内に埋め込まれた補強材及び前記現場打ちコンクリートと前記外側の細長い直立壁部材の両方内に埋め込まれた補強材によって前記内側及び前記外側の細長い直立壁部材の各々に結合されると共に（ｉｉ）前記現場打ちコンクリートと前記プレキャストコンクリート製ペデスタルユニットの両方内に埋め込まれた補強材によって前記細長いプレキャストコンクリート製ペデスタルユニットに結合されている、構造物。
【請求項２９】
前記細長いプレキャストコンクリート製ペデスタルユニットの底部は、前記チャネル内の現場打ちのコンクリート内に埋め込まれている、請求項２８記載の構造物。
【請求項３０】
前記細長いプレキャストコンクリート製ペデスタルユニットは、前記多数の支持体の上に着座し、補強材が前記細長いプレキャストコンクリート製ペデスタルユニットの底部から前記チャネル内の前記現場打ちコンクリート内に延びている、請求項２９記載の構造物。
【請求項３１】
前記多数の支持体の各々は、頂部凹部又は頂部チャネル部材を有し、前記細長いプレキャストコンクリート製ペデスタルユニットは、前記凹部又は前記チャネル部材内に嵌め込まれている、請求項３０記載の構造物。
【請求項３２】
請求項２８記載の組み合わせ型プレキャストコンクリート・現場打ちコンクリート製基礎構造物を少なくとも１つ含む橋梁システムであって、
多数の橋梁ユニットを更に含み、前記多数の橋梁ユニットの各々は、前記組み合わせ型プレキャストコンクリート・現場打ちコンクリート製基礎構造物によって支持された第１の底側部分を有し、各第１の底側部分は、前記細長いプレキャストコンクリート製ペデスタルユニットの前記凹部又は前記チャネル部材内に嵌め込まれている、橋梁システム。
【請求項３３】
前記組み合わせ型プレキャストコンクリート・現場打ちコンクリート製基礎構造物は、第１の組み合わせ型プレキャストコンクリート・現場打ちコンクリート製基礎構造物であり、前記プレキャストコンクリート製基礎ユニットは、第１のプレキャストコンクリート製基礎ユニットであり、前記細長いプレキャストコンクリート製ペデスタルユニットは、第１の細長いプレキャストコンクリート製ペデスタルユニットであり、前記橋梁システムは、
前記橋梁据え付け現場に配置されると共に前記第１の組み合わせ型プリキャストコンクリート・現場打ちコンクリート製基礎構造物に実質的に平行に延びる第２の組み合わせ型プレキャストコンクリート・現場打ちコンクリート製基礎構造物を更に含み、前記第２の組み合わせ型プレキャストコンクリート・現場打ちコンクリート製基礎構造物は、
内側の細長い直立壁部材、前記内側の細長い直立壁部材から間隔を置いて位置していて、前記内側の細長い直立壁部材との間にチャネルを構成する外側の細長い直立壁部材、及び、前記チャネル内に配置された多数の直立支持体を有する第２のプレキャストコンクリート製基礎ユニットを含み、
前記第２のプレキャストコンクリート製基礎ユニットとは別個に形成されると共に前記チャネル内に位置決めされていて、前記チャネルから上方に且つ前記プレキャストコンクリート製基礎ユニットの上方に延びる第２の細長いプレキャストコンクリート製ペデスタルユニットを含み、前記第２の細長いプレキャストコンクリート製ペデスタルユニットの頂面は、該頂面に設けられた凹部又はチャネル部材を有し、
前記第２のプレキャストコンクリート製基礎ユニットの前記チャネル内に納められた現場打ちコンクリートを含み、前記現場打ちコンクリートは、（ｉ）前記現場打ちコンクリートと前記内側の細長い直立壁部材の両方内に埋め込まれた補強材及び前記現場打ちコンクリートと前記外側の細長い直立壁部材の両方内に埋め込まれた補強材によって前記内側及び前記外側の細長い直立壁部材の各々に結合されると共に（ｉｉ）前記現場打ちコンクリートと前記第２のプレキャストコンクリート製ペデスタルユニットの両方内に埋め込まれた補強材によって前記第２の細長いプレキャストコンクリート製ペデスタルユニットに結合され、
前記多数の橋梁ユニットの各々は、前記第２の細長い組み合わせ型プレキャストコンクリート・現場打ちコンクリート製基礎構造物によって支持された第２の底側部分を有し、各第２の底側部分は、前記第２の細長いプレキャストコンクリート製ペデスタルユニットの前記凹部又は前記チャネル部材内に嵌め込まれている、請求項３２記載の橋梁システム。
【請求項３４】
組み合わせ型プレキャストコンクリート・現場打ちコンクリート製基礎構造物を建造する方法であって、
第１の細長い直立壁部材、前記第１の細長い直立壁部材から間隔を置いて位置していて、前記第１の細長い直立壁部材との間にチャネルを構成する第２の細長い直立壁部材及び前記チャネル内に配置された多数の直立支持体を有する第１のプレキャストコンクリート製基礎ユニットを建造現場で受け取るステップを含み、前記多数の直立支持体の各々は、上方に向いた凹部を有し、
前記第１のプレキャストコンクリート製基礎ユニットを前記建造現場の所望の使用場所に配置するステップを含み、
前記第１のプレキャストコンクリート製基礎ユニットが前記所望の使用場所に位置したままの状態でコンクリートを前記第１のプレキャストコンクリート製基礎ユニットの前記チャネル内に送り込むステップを含み、
前記コンクリートが現場硬化することができ、その結果、前記第１及び前記第２の細長い直立壁部材の各々が前記現場硬化コンクリートと前記第１の細長い直立壁部材の両方内に埋め込まれた補強材及び前記現場硬化コンクリートと前記第２の細長い直立壁部材の両方内に埋め込まれた補強材によって前記現場硬化コンクリートに連結されるようにするステップを含む、方法。
【請求項３５】
前記第１のプレキャストコンクリート製基礎ユニットの前記多数の支持体の各々は、前記第１のプレキャストコンクリート製基礎ユニットの前記チャネル内に多数の互いに間隔を置いたセルを構成するよう前記第１のプレキャストコンクリート製基礎ユニットの前記内側の細長い直立壁部材と前記外側の細長い直立壁部材との間で側方に延び、前記送り込みステップは、前記コンクリートを前記第１のプリキャストコンクリート製基礎ユニットの各セル内に送り込むステップを含む、請求項３４記載の方法。
【請求項３６】
前記第１のプレキャストコンクリート製基礎ユニットの前記多数のセルの各々は、頂部と底部の両方が開いており、前記現場硬化コンクリートは、前記各セルを頂部から底部まで実質的に閉じる、請求項３５記載の方法。
【請求項３７】
前記送り込みステップに先立って、プリキャストコンクリート製ペデスタルユニット又は橋梁ユニットのうちの一方が前記多数の支持体上で前記チャネル内に少なくとも部分的に支持され、前記コンクリートの現場硬化可能ステップ中、前記プリキャストコンクリート製ペデスタルユニット又は前記橋梁ユニットのうちの一方の底部分が前記現場硬化コンクリート内に埋め込まれた状態になる、請求項３４記載の方法。
【請求項３８】
前記多数の支持体の各々は、該支持体に設けられた頂部凹部又はチャネル部材を有し、前記プレキャストコンクリート製ペデスタルユニット又は前記橋梁ユニットのうちの前記一方は、前記頂部凹部又はチャネル部材によって支持されている、請求項３７記載の方法。
【請求項３９】
前記第１のプレキャストコンクリート製基礎ユニットの前記多数の支持体の各々の前記頂部凹部又はチャネル部材は、前記チャネル内から前記第１の細長い直立型壁部材まで延び、前記送り込みステップ中、前記底部分と前記第２の細長い直立壁部材との間に位置する前記送り込みコンクリートが第１の高さに設置され、前記底部分と前記第１の細長い直立部材との間に位置する前記送り込みコンクリートは、前記第１の高さよりも低い前記第２の高さに設置される、請求項３７記載の方法。
【請求項４０】
プレキャストコンクリート袖壁基礎ユニットを前記建造現場で受け取るステップと、
前記送り込みステップに先立って、前記プレキャストコンクリート袖壁基礎ユニットを補強材が前記プレキャストコンクリート袖壁基礎ユニットから前記チャネル内に延びるように前記第１のプレキャストコンクリート製基礎ユニットの一端部のところに配置するステップとを更に含み、
前記送り込みステップ及び前記コンクリート現場硬化可能ステップの結果として、前記プレキャストコンクリート袖壁基礎ユニットから前記チャネル内に延びる前記補強材は、前記現場硬化コンクリート内に埋め込まれた状態になる、請求項３４記載の方法。
【請求項４１】
前記プレキャストコンクリート袖壁基礎ユニットは、底面及び頂面を有し、前記底面は、前記頂面よりも幅が広い、請求項４０記載の方法。
【国際調査報告】
2014520981.tif 000045
2014520981.tif 000046